(57)【要約】  本発明の実施形態は、TA取得方法及び装置を提供する。方法は、基地局により、指示メッセージを生成するステップと、前記指示メッセージをUEに送信するステップと、前記UEにより、前記基地局により送信された前記指示メッセージを受信するステップと、前記UEにより、前記指示メッセージに基づいてセカンドキャリアのタイミング・アドバンス（TA）を取得するステップとを含み、前記セカンドキャリアは、PUSCHの送信に使用されないキャリアである。本発明の実施形態において提供されるTA取得方法では、前記セカンドキャリアは、PUSCHの送信に使用されないキャリアであるが、前記セカンドキャリアの前記TAは依然として取得され得る。
2019522397.tif 000002
【特許請求の範囲】
【請求項１】
TA取得方法であって、
基地局により送信された指示メッセージを受信するステップと、
前記指示メッセージに基づいてセカンドキャリアのタイミング・アドバンス（TA）を取得するステップであって、前記セカンドキャリアは、PUSCHの送信に使用されないキャリアである、ステップと、
を具備することを特徴とするTA取得方法。
【請求項２】
ファーストキャリアから前記セカンドキャリアに切り替えるステップ
をさらに具備することを特徴とする請求項1に記載の方法。
【請求項３】
前記指示メッセージは、前記セカンドキャリア上で送信される必要があるプリアンブル及び／又はリソース伝送識別子を具備することを特徴とする請求項1又は2に記載の方法。
【請求項４】
前記リソース伝送識別子は、サブフレーム識別子、直交周波数分割多重(OFDM)シンボル位置識別子、キャリア識別子、及び物理リソースブロック識別子、の少なくともいずれか1つを具備することを特徴とする請求項3に記載の方法。
【請求項５】
前記指示メッセージに基づいてセカンドキャリアのTAを取得する前記ステップは、
前記プリアンブルを前記セカンドキャリア上で、前記基地局に送信するステップ
を具備することを特徴とする請求項3又は4に記載の方法。
【請求項６】
前記指示メッセージに基づいてセカンドキャリアのTAを取得する前記ステップは、
前記基地局により送信された応答メッセージを受信するステップであって、前記応答情報は、前記セカンドキャリアの前記TA及び／又はランダムアクセス電力オフセットを具備する、ステップ
を具備することを特徴とする請求項3から5のいずれか一項に記載の方法。
【請求項７】
前記TAは、前記プリアンブルに関する情報を受信することに基づいて前記基地局により決定されることを特徴とする請求項3から6のいずれか一項に記載の方法。
【請求項８】
前記指示メッセージは、基地局間の同期信号及び／又は同期差を具備することを特徴とする請求項1に記載の方法。
【請求項９】
前記指示メッセージに基づいてセカンドキャリアのTAを取得する前記ステップは、
前記サードキャリアを使用して送信された前記同期信号の第1の受信時間を決定するステップと、前記セカンドキャリアを使用して送信された前記同期信号の第2の受信時間を決定するステップと、
を具備することを特徴とする請求項8に記載の方法。
【請求項１０】
前記指示メッセージに基づいてセカンドキャリアのTAを取得する前記ステップは、
前記第2の受信時間と前記第1の受信時間との差、及び前記サードキャリアのTAに基づいて前記セカンドキャリアの前記TAを決定するステップ
を具備することを特徴とする請求項8又は9に記載の方法。
【請求項１１】
前記セカンドキャリアの前記TAは、ダウンリンクTAであることを特徴とする請求項10に記載の方法。
【請求項１２】
前記ダウンリンクTAは、どのアップリンク信号が前記セカンドキャリア上で送信されるかに基づいて、アップリンクTAとして使用されることを特徴とする請求項11に記載の方法。
【請求項１３】
前記指示メッセージは、基地局間の同期信号及び／又は同期差を具備することを特徴とする請求項2に記載の方法。
【請求項１４】
前記指示メッセージに基づいてセカンドキャリアのTAを取得する前記ステップは、
前記サードキャリアを使用して送信された前記同期信号の第1の受信時間を決定するステップと、前記セカンドキャリアを使用して送信された前記同期信号の第2の受信時間を決定するステップと、
を具備することを特徴とする請求項13に記載の方法。
【請求項１５】
前記指示メッセージに基づいてセカンドキャリアのTAを取得する前記ステップは、
前記第2の受信時間と前記第1の受信時間との差、前記基地局間の前記同期差、及び前記サードキャリアのTAに基づいて前記セカンドキャリアの前記TAを決定するステップ
を具備することを特徴とする請求項13又は14に記載の方法。
【請求項１６】
前記サードキャリアと前記ファーストキャリアは同じキャリアであることを特徴とする請求項14又は15に記載の方法。
【請求項１７】
前記ファーストキャリアと前記セカンドキャリアは、異なるタイミング・アドバンス・グループ(TAG)にあることを特徴とする請求項2, 13, 14, 又は15のいずれか一項に記載の方法。
【請求項１８】
前記応答メッセージは、ランダムアクセス応答の有効なペイロードを修正することにより形成される新たなランダムアクセス応答メッセージ、又はタイミング・アドバンス・メディアアクセス制御・制御要素(新たに説明されたTA MAC CE)又はTA MAC CE、又はランダムアクセス応答のフレームフォーマットを修正することにより形成される新たなランダムアクセス応答メッセージ、又は既存のメディアアクセス制御・制御要素(MAC CE)、又はランダムアクセス応答であることを特徴とする請求項6に記載の方法。
【請求項１９】
基地局により送信された指示メッセージを受信する前記ステップは、
前記セカンドキャリアを使用して送信された前記指示メッセージを受信するステップ
を具備することを特徴とする請求項1から7のいずれか一項に記載の方法。
【請求項２０】
前記基地局により送信された応答メッセージを受信する前記ステップは、
前記セカンドキャリアを使用して送信された前記応答メッセージを受信するステップ
を具備することを特徴とする請求項3から7のいずれか一項に記載の方法。
【請求項２１】
前記指示メッセージは、フォースキャリアの数又は、前記ファーストキャリアの数をさらに具備することを特徴とする請求項6に記載の方法。
【請求項２２】
前記基地局により送信された応答メッセージを受信する前記ステップは、
前記フォースキャリア又は、前記ファーストキャリア上で、前記基地局により送信された前記応答メッセージを受信するステップ
を具備することを特徴とする請求項21に記載の方法。
【請求項２３】
前記指示情報は、無線リソース制御(RRC)シグナリング又は物理レイヤシグナリングであることを特徴とする請求項1から22のいずれか一項に記載の方法。
【請求項２４】
前記指示メッセージに基づいてセカンドキャリアのTAを取得する前記ステップは、
前記基地局により送信された物理ダウンリンク制御チャネル(PDCCH)コマンドを受信するステップ
を具備することを特徴とする請求項3から7のいずれか一項に記載の方法。
【請求項２５】
前記指示メッセージに基づいてセカンドキャリアのTAを取得する前記ステップは、
前記基地局により送信された応答メッセージを受信するステップであって、前記応答情報は、前記セカンドキャリアの前記TAと前記ファーストキャリアのTAとの差を具備する、ステップ
を具備することを特徴とする請求項3から5のいずれか一項に記載の方法。
【請求項２６】
前記指示メッセージに基づいてセカンドキャリアのTAを取得する前記ステップは、
前記セカンドキャリアの前記TAと前記ファーストキャリアの前記TAとの前記差、及び前記ファーストキャリアの前記TAに基づいて、前記セカンドキャリアの前記TAを決定するステップ
を具備することを特徴とする請求項25に記載の方法。
【請求項２７】
前記指示メッセージは、前記応答メッセージの種類情報及び／又は前記応答メッセージの時間セグメントに関する情報をさらに具備することを特徴とする請求項3から7のいずれか一項に記載の方法。
【請求項２８】
前記基地局により送信された応答メッセージを受信する前記ステップは、
前記時間セグメントにおいて、前記基地局により送信された前記応答メッセージを受信するステップ
を具備することを特徴とする請求項27に記載の方法。
【請求項２９】
前記基地局により送信された応答メッセージを受信する前記ステップは、
前記応答メッセージの種類情報に基づいて前記応答メッセージを解析するステップ
を具備することを特徴とする請求項27又は28に記載の方法。
【請求項３０】
TA取得方法であって、
セカンドキャリアとサードキャリアが同じタイミング・アドバンス・グループ(TAG)に属するかどうかを判定するステップであって、前記セカンドキャリアは、PUSCHの送信に使用されないキャリアである、ステップと、
肯定の場合は、前記セカンドキャリアのTAは、前記サードキャリアのTAと同じであると決定するステップと、
を具備することを特徴とするTA取得方法。
【請求項３１】
前記方法は、
前記セカンドキャリアの前記TAに基づいて前記セカンドキャリア上でアップリンク信号を送信するステップ
をさらに具備することを特徴とする請求項30に記載の方法。
【請求項３２】
前記アップリンク信号は、サウンディング参照信号(SRS)であることを特徴とする請求項31に記載の方法。
【請求項３３】
前記方法は、
ファーストキャリアから前記セカンドキャリアに切り替えるステップ
をさらに具備することを特徴とする請求項30から32のいずれか一項に記載の方法。
【請求項３４】
前記サードキャリアと前記ファーストキャリアは同じキャリアであることを特徴とする請求項33に記載の方法。
【請求項３５】
前記サードキャリアは、前記ファーストキャリアとは異なっており、前記サードキャリアは、アップリンクキャリアであることを特徴とする請求項33に記載の方法。
【請求項３６】
TA取得方法であって、
指示メッセージを生成するステップであって、前記指示メッセージは、ユーザ機器(UE)にタイミング・アドバンス（TA）を取得するように指示するために使用される、ステップと、
前記指示メッセージを前記UEに送信するステップと、
を具備することを特徴とするTA取得方法。
【請求項３７】
前記指示メッセージは、前記セカンドキャリア上で送信される必要があるプリアンブル及び／又はリソース伝送識別子を具備することを特徴とする請求項36に記載の方法。
【請求項３８】
前記リソース伝送識別子は、以下の、サブフレーム識別子、直交周波数分割多重(OFDM)シンボル位置識別子、キャリア識別子、及び物理リソースブロック識別子の少なくとも1つを具備することを特徴とする請求項37に記載の方法。
【請求項３９】
前記方法は、
前記セカンドキャリア上で、前記UEにより送信された前記プリアンブルを受信するステップ
さらに具備することを特徴とする請求項37又は38に記載の方法。
【請求項４０】
前記方法は、
応答メッセージを前記UEに送信するステップであって、前記応答情報は、前記セカンドキャリアの前記TA及び／又はランダムアクセス電力オフセットを具備する、ステップ
をさらに具備することを特徴とする請求項39に記載の方法。
【請求項４１】
前記方法は、
前記プリアンブルに関する情報を受信することに基づいて、前記TAを決定するステップ
さらに具備することを特徴とする請求項37から40のいずれか一項に記載の方法。
【請求項４２】
前記指示メッセージは、基地局間の同期信号及び／又は同期差を具備することを特徴とする請求項36に記載の方法。
【請求項４３】
前記方法は、
サードキャリア及び前記セカンドキャリアを使用して前記同期信号を別々に前記UEに送信するステップであって、前記UEは、前記同期信号が前記サードキャリア上で受信される第1の受信時間と前記同期信号が前記セカンドキャリア上で受信される第2の受信時間との差、及び前記サードキャリアのTAに基づいて、前記セカンドキャリアの前記TAを決定する、ステップ
をさらに具備することを特徴とする請求項42に記載の方法。
【請求項４４】
前記方法は、
サードキャリア及び前記セカンドキャリアを使用して前記同期信号を別々に前記UEに送信するステップであって、前記UEは、前記同期信号が前記サードキャリア上で受信される第1の受信時間と前記同期信号が前記セカンドキャリア上で受信される第2の受信時間との差、前記基地局間の前記同期差、及び前記サードキャリアのTAに基づいて、前記セカンドキャリアの前記TAを決定する、ステップ
をさらに具備することを特徴とする請求項42に記載の方法。
【請求項４５】
前記応答メッセージは、ランダムアクセス応答の有効なペイロードを修正することにより形成される新たなランダムアクセス応答メッセージ、又はタイミング・アドバンス・メディアアクセス制御・制御要素(新たに説明されたTA MAC CE)、又はTA MAC CE、又はランダムアクセス応答のフレームフォーマットを修正することにより形成される新たなランダムアクセス応答メッセージ、又は既存のメディアアクセス制御・制御要素(MAC CE)、又はランダムアクセス応答であることを特徴とする請求項40に記載の方法。
【請求項４６】
前記方法は、
前記セカンドキャリアを使用して前記指示メッセージを前記UEに送信するステップ
をさらに具備することを特徴とする請求項36から41のいずれか一項に記載の方法。
【請求項４７】
前記方法は、
前記セカンドキャリアを使用して前記応答メッセージを前記UEに送信するステップ
をさらに具備することを特徴とする請求項37から41のいずれか一項に記載の方法。
【請求項４８】
前記指示メッセージは、フォースキャリアの数又はファーストキャリアの数をさらに具備することを特徴とする請求項40に記載の方法。
【請求項４９】
前記方法は、
前記フォースキャリア又は、前記ファーストキャリアを使用して前記応答メッセージを前記UEに送信するステップ
をさらに具備することを特徴とする請求項48に記載の方法。
【請求項５０】
前記指示情報は、無線リソース制御(RRC)シグナリング又は物理レイヤシグナリングであることを特徴とする請求項36から49のいずれか一項に記載の方法。
【請求項５１】
前記方法は、
物理ダウンリンク制御チャネル(PDCCH)コマンドを前記UEに送信するステップ
をさらに具備することを特徴とする請求項37から41のいずれか一項に記載の方法。
【請求項５２】
前記方法は、
応答メッセージを前記UEに送信するステップであって、前記UEは、前記セカンドキャリアの前記TAとファーストキャリアのTAとの差、及び前記ファーストキャリアの前記TAに基づいて、前記セカンドキャリアの前記TAを決定し、前記応答情報は、前記セカンドキャリアの前記TAと前記ファーストキャリアの前記TAとの前記差を具備する、ステップ
さらに具備することを特徴とする請求項37から39のいずれか一項に記載の方法。
【請求項５３】
前記指示メッセージは、前記応答メッセージの種類情報及び／又は、前記応答メッセージの時間セグメントに関する情報さらに具備することを特徴とする請求項37から41のいずれか一項に記載の方法。
【請求項５４】
前記方法は、
前記UEが前記時間セグメントにおいて前記応答メッセージを受信できるように、前記応答メッセージを前記UEに送信するステップ
さらに具備することを特徴とする請求項53に記載の方法。
【請求項５５】
前記方法は、
前記UEが前記応答メッセージの種類情報に基づいて前記応答メッセージを解析できるように、前記応答メッセージを前記UEに送信するステップ
をさらに具備することを特徴とする請求項53又は54に記載の方法。
【請求項５６】
TA取得装置であって、
基地局により送信された指示メッセージを受信するように構成された受信器と、
前記指示メッセージに基づいてセカンドキャリアのタイミング・アドバンス（TA）を取得するように構成されたプロセッサであって、前記セカンドキャリアは、PUSCHの送信に使用されないキャリアである、プロセッサと、
を具備することを特徴とするTA取得装置。
【請求項５７】
ファーストキャリアから前記セカンドキャリアに切り替えるように構成されている切り替え器をさらに具備することを特徴とする請求項56に記載の装置。
【請求項５８】
前記指示メッセージは、前記セカンドキャリア上で送信される必要があるプリアンブル及び／又はリソース伝送識別子を具備することを特徴とする請求項56又は57に記載の装置。
【請求項５９】
前記リソース伝送識別子は、以下の、サブフレーム識別子、直交周波数分割多重(OFDM)シンボル位置識別子、キャリア識別子、及び物理リソースブロック識別子の少なくとも1つを具備することを特徴とする請求項58に記載の装置。
【請求項６０】
前記プロセッサは、具体的には、前記セカンドキャリア上で、前記プリアンブルを前記基地局に送信するように構成されていることを特徴とする請求項58又は59に記載の装置。
【請求項６１】
前記プロセッサは、具体的には、前記基地局により送信された応答メッセージを受信するように構成されており、前記応答情報は、前記セカンドキャリアの前記TA及び／又はランダムアクセス電力オフセットを具備することを特徴とする請求項58から60のいずれか一項に記載の装置。
【請求項６２】
前記TAは、前記プリアンブルに関する情報を受信することに基づいて前記基地局により決定されることを特徴とする請求項58から61のいずれか一項に記載の装置。
【請求項６３】
前記指示メッセージは、基地局間の同期信号及び／又は同期差を具備することを特徴とする請求項56に記載の装置。
【請求項６４】
前記プロセッサは、具体的には、前記サードキャリアを使用して送信された前記同期信号の第1の受信時間を決定し、前記セカンドキャリアを使用して送信された前記同期信号の第2の受信時間を決定するように構成されていることを特徴とする請求項63に記載の装置。
【請求項６５】
前記プロセッサは、具体的には、前記第2の受信時間と前記第1の受信時間との差、及び前記サードキャリアのTAに基づいて前記セカンドキャリアの前記TAを決定するように構成されていることを特徴とする請求項63又は64に記載の装置。
【請求項６６】
前記セカンドキャリアの前記TAは、ダウンリンクTAであることを特徴とする請求項65に記載の装置。
【請求項６７】
前記ダウンリンクTAは、どのアップリンク信号が前記セカンドキャリア上で送信されるかに基づいて、アップリンクTAとして使用されることを特徴とする請求項66に記載の装置。
【請求項６８】
前記指示メッセージは、基地局間の同期信号及び／又は同期差を具備することを特徴とする請求項57に記載の装置。
【請求項６９】
前記プロセッサは、具体的には、前記サードキャリアを使用して送信された前記同期信号の第1の受信時間を決定し、前記セカンドキャリアを使用して送信された前記同期信号の第2の受信時間を決定するように構成されていることを特徴とする請求項68に記載の装置。
【請求項７０】
前記プロセッサは、具体的には、前記第2の受信時間と前記第1の受信時間との差、前記基地局間の前記同期差、及び前記サードキャリアのTAに基づいて前記セカンドキャリアの前記TAを決定するように構成されていることを特徴とする請求項68又は69に記載の装置。
【請求項７１】
前記サードキャリアと前記ファーストキャリアは同じキャリアであることを特徴とする請求項69又は70に記載の装置。
【請求項７２】
前記ファーストキャリアと前記セカンドキャリアは、異なるタイミング・アドバンス・グループ(TAG)にあることを特徴とする請求項57, 69, 70, 又は71のいずれか一項に記載の装置。
【請求項７３】
前記応答メッセージは、ランダムアクセス応答の有効なペイロードを修正することにより形成される新たなランダムアクセス応答メッセージ、又はタイミング・アドバンス・メディアアクセス制御・制御要素(新たに説明されたTA MAC CE)、又はTA MAC CE、又はランダムアクセス応答のフレームフォーマットを修正することにより形成される新たなランダムアクセス応答メッセージ、又は既存のメディアアクセス制御・制御要素(MAC CE)、又はランダムアクセス応答であることを特徴とする請求項61に記載の装置。
【請求項７４】
前記受信器は、具体的には、前記セカンドキャリアを使用して送信された前記指示メッセージを受信するように構成されていることを特徴とする請求項56から62のいずれか一項に記載の装置。
【請求項７５】
前記プロセッサは、具体的には、前記セカンドキャリアを使用して前記基地局により送信された前記応答メッセージを受信するように構成されていることを特徴とする請求項58から62のいずれか一項に記載の装置。
【請求項７６】
前記指示メッセージは、フォースキャリアの数又はファーストキャリアの数をさらに具備することを特徴とする請求項61に記載の装置。
【請求項７７】
前記プロセッサは、具体的には、前記基地局により送信された前記応答メッセージを前記フォースキャリア又は、前記ファーストキャリア上で受信するように構成されていることを特徴とする請求項76に記載の装置。
【請求項７８】
前記指示情報は、無線リソース制御(RRC)シグナリング又は物理レイヤシグナリングであることを特徴とする請求項56から77のいずれか一項に記載の装置。
【請求項７９】
前記プロセッサは、具体的には、前記基地局により送信された物理ダウンリンク制御チャネル(PDCCH)コマンドを受信するように構成されていることを特徴とする請求項58から62のいずれか一項に記載の装置。
【請求項８０】
前記プロセッサは、具体的には、前記基地局により送信された応答メッセージを受信するように構成されており、前記応答情報は、前記セカンドキャリアの前記TAと前記ファーストキャリアのTAとの差を具備することを特徴とする請求項58から60のいずれか一項に記載の装置。
【請求項８１】
前記プロセッサは、具体的には、前記セカンドキャリアの前記TAと前記ファーストキャリアの前記TAとの前記差、及び前記ファーストキャリアの前記TAに基づいて前記セカンドキャリアの前記TAを決定するように構成されていることを特徴とする請求項80に記載の装置。
【請求項８２】
前記指示メッセージは、前記応答メッセージの種類情報及び／又は、前記応答メッセージの時間セグメントに関する情報をさらに具備することを特徴とする請求項58から62のいずれか一項に記載の装置。
【請求項８３】
前記プロセッサは、具体的には、前記基地局により送信された前記応答メッセージを前記時間セグメントにおいて受信するように構成されていることを特徴とする請求項82に記載の装置。
【請求項８４】
前記プロセッサは、具体的には、前記応答メッセージの種類情報に基づいて前記応答メッセージを解析するように構成されていることを特徴とする請求項82又は83に記載の装置。
【請求項８５】
TA取得装置であって、
セカンドキャリアとサードキャリアが同じタイミング・アドバンス・グループ（TAG）に属しているかどうかを決定するように構成されたプロセッサであって、前記セカンドキャリアは、PUSCHの送信に使用されないキャリアである、プロセッサを具備し、
肯定の場合は、前記プロセッサは、前記セカンドキャリアのTAは、前記サードキャリアのTAと同じであると決定するようにさらに構成されている
ことを特徴とするTA取得装置。
【請求項８６】
前記セカンドキャリアの前記TAに基づいて前記セカンドキャリア上でアップリンク信号を送信するように構成されている送信器
さらに具備することを特徴とする請求項85に記載の装置。
【請求項８７】
前記アップリンク信号は、サウンディング参照信号(SRS)であることを特徴とする請求項86に記載の装置。
【請求項８８】
ファーストキャリアから前記セカンドキャリアに切り替えるように構成されている切り替え器
をさらに具備することを特徴とする請求項85から87のいずれか一項に記載の装置。
【請求項８９】
前記サードキャリアと前記ファーストキャリアは同じキャリアであることを特徴とする請求項88に記載の装置。
【請求項９０】
前記サードキャリアは、前記ファーストキャリアとは異なっており、前記サードキャリアは、アップリンクキャリアであることを特徴とする請求項88に記載の装置。
【請求項９１】
TA取得装置であって、
指示メッセージを生成するように構成されたプロセッサであって、前記指示メッセージは、ユーザ機器(UE)にタイミング・アドバンス（TA）を取得するように指示するために使用される、プロセッサと、
前記指示メッセージを前記UEに送信するように構成された送信器と、
を具備することを特徴とするTA取得装置。
【請求項９２】
前記指示メッセージは、前記セカンドキャリア上で送信される必要があるプリアンブル及びリソース伝送識別子を具備することを特徴とする請求項91に記載の装置。
【請求項９３】
前記リソース伝送識別子は、以下の、サブフレーム識別子、直交周波数分割多重(OFDM)シンボル位置識別子、キャリア識別子、及び物理リソースブロック識別子の少なくとも1つを具備することを特徴とする請求項92に記載の装置。
【請求項９４】
前記装置は、
前記セカンドキャリア上で、前記UEにより送信された前記プリアンブルを受信するように構成された受信器をさらに具備することを特徴とする請求項92又は93に記載の装置。
【請求項９５】
前記送信器は、応答メッセージを前記UEに送信するようにさらに構成され、前記応答情報は、前記セカンドキャリアの前記TA及び／又はランダムアクセス電力オフセットを具備するていることを特徴とする請求項94に記載の装置。
【請求項９６】
前記プロセッサは、
前記プリアンブルに関する情報を受信することに基づいて前記TAを決定する
ようにさらに構成されることを特徴とする請求項92から95のいずれか一項に記載の装置。
【請求項９７】
前記指示メッセージは、基地局間の同期信号及び／又は同期差を具備することを特徴とする請求項91に記載の装置。
【請求項９８】
前記プロセッサは、
サードキャリア及び前記セカンドキャリアを使用して前記UEに別々に前記同期信号を送信し、前記UEは、前記同期信号が前記サードキャリア上で受信される第1の受信時間と前記同期信号が、前記セカンドキャリア上で受信される第2の受信時間との差、及び前記サードキャリアのTAに基づいて前記セカンドキャリアの前記TAを決定する
ようにさらに構成されていることを特徴とする請求項97に記載の装置。
【請求項９９】
前記プロセッサは、
サードキャリア及び前記セカンドキャリアを使用して前記UEに別々に前記同期信号を送信し、前記UEは、前記同期信号が前記サードキャリア上で受信される第1の受信時間と前記同期信号が前記セカンドキャリア上で受信される第2の受信時間との差、前記基地局間の前記同期差、及び前記サードキャリアのTAに基づいて、前記セカンドキャリアの前記TAを決定する
ことを特徴とする請求項97に記載の装置。
【請求項１００】
前記応答メッセージは、ランダムアクセス応答の有効なペイロードを修正することにより形成される新たなランダムアクセス応答メッセージ、又はタイミング・アドバンス・メディアアクセス制御・制御要素(新たに説明されたTA MAC CE)、又はTA MAC CE、又はランダムアクセス応答のフレームフォーマットを修正することにより形成される新たなランダムアクセス応答メッセージ、又は既存のメディアアクセス制御・制御要素(MAC CE)、又はランダムアクセス応答であることを特徴とする請求項95に記載の装置。
【請求項１０１】
前記送信器は、
前記セカンドキャリアを使用して前記指示メッセージを前記UEに送信する
ようにさらに構成されていることを特徴とする請求項92から96のいずれか一項に記載の装置。
【請求項１０２】
前記送信器は、
前記セカンドキャリアを使用して前記応答メッセージを前記UEに送信する
ようにさらに構成されていることを特徴とする請求項95又は96に記載の装置。
【請求項１０３】
前記指示メッセージは、フォースキャリアの数又はファーストキャリアの数をさらに具備することを特徴とする請求項95に記載の装置。
【請求項１０４】
前記送信器は、
前記フォースキャリア又は、前記ファーストキャリアを使用して前記応答メッセージを前記UEに送信する
ようにさらに構成されていることを特徴とする請求項103に記載の装置。
【請求項１０５】
前記指示情報は、無線リソース制御(RRC)シグナリング又は物理レイヤシグナリングであることを特徴とする請求項91から104のいずれか一項に記載の装置。
【請求項１０６】
前記送信器は、
物理ダウンリンク制御チャネル(PDCCH)を前記UEに送信する
ようにさらに構成されていることを特徴とする請求項92から96のいずれか一項に記載の装置。
【請求項１０７】
前記送信器は、
応答メッセージを前記UEに送信し、前記UEは、前記セカンドキャリアの前記TAとファーストキャリアのTAとの差、及び前記ファーストキャリアの前記TAに基づいて、前記セカンドキャリアの前記TAを決定し、前記応答情報は、前記セカンドキャリアの前記TAと前記ファーストキャリアの前記TAとの前記差を具備する
ようにさらに構成されていることを特徴とする請求項92から94のいずれか一項に記載の装置。
【請求項１０８】
前記指示メッセージは、前記応答メッセージの種類情報及び／又は、前記応答メッセージの時間セグメントに関する情報をさらに具備することを特徴とする請求項95又は96に記載の装置。
【請求項１０９】
前記送信器は、
前記UEが前記時間セグメントにおいて前記応答メッセージを受信できるように、前記応答メッセージを前記UEに送信する
ようにさらに構成されていることを特徴とする請求項108に記載の装置。
【請求項１１０】
前記送信器は、
前記UEが前記応答メッセージの種類情報に基づいて前記応答メッセージを解析できるように、前記応答メッセージを前記UEに送信する
ようにさらに構成されていることを特徴とする請求項108又は109に記載の装置。
【発明の詳細な説明】
【技術分野】
【０００１】
本発明の実施形態は、通信技術の分野に関連し、特に、キャリアタイミング・アドバンス(Timing Advance, 略してTA)の取得方法及び装置に関する。
【背景技術】
【０００２】
ロングタームエボリューション・アドバンスト(Long Term Evolution-Advanced, 略してLTE-A)システムは、発展型ロングタームエボリューション(Long Term Evolution, 略してLTE)システムであり、無線通信市場のより高い要件及びより多くのアプリケーションを満足させ、国際移動通信・アドバンスト(International Mobile Telecommunications-Advanced, 略してIMT-Advanced)の要件を満たすことを目的としている。LTE-Aでは、キャリアアグリゲーション(Carrier Aggregation, 略してCA)技術が、データ伝送レートを向上させるために使用されている。具体的には、キャリアアグリゲーションをサポートする基地局がユーザ機器(User Equipment, 略してUE)にサービスを提供するために、複数のキャリア(Component Carrier, 略してCC)をアグリゲートし得る。このようにして、UEは、複数のCCを同時に使用することにより、データを送信及び／又はデータを受信でき、これにより、データ伝送レートを改善する。また、LTE-Aシステムでは、UEのアップリンク信号間の直行性を確保するために、UEにより送信されたアップリンク信号のクロックが基地局側の受信端で一致していることを保証する必要がある。したがって、CCを使用してアップリンク信号を送信する前に、UEは、UEがCC上で、前記アップリンク信号を送信することに基づいてTAを取得する必要がある。このようにして、送信プロセスにおける前記アップリンク信号の伝送遅延が原因で、アップリンク信号のクロックが基地局側の受信端で矛盾するという問題をさけるために、UEは、CCのTAに基づいてCC上で、前記アップリンク信号を送信し得る。例えば、UEは、CCのTAに基づいてCC上でサウンディング参照信号(sounding reference signal, 略してSRS)を送信する。このようにして、前記基地局は、予め設定された時間内にSRSを聴取(listen)し取得することができる。
【０００３】
従来技術では、UEは、UEがCC上でアップリンク信号を送信することに基づいてTAを取得するためにランダムアクセスを実行する。例えば、UEは、CCの物理ランダムアクセスチャネル(Physical Random Access Channel, 略してPRACH)構成メッセージを取得する。PRACH構成メッセージは、プリアンブルに関する情報、そのプリアンブルを送信するために使用されるCCに関する情報、及びそのプリアンブルが送信される時間を含む。その後、UEは、CCを使用してPRACH構成メッセージに基づいて特定の時間にプリアンブルを基地局に送信し、ランダムアクセスを実行する。UEにより送信されたプリアンブルを受信した後、基地局は、ランダムアクセス応答 (Random Access Response, 略してRAR)で、前記UEに応答する。RARは、CCのTA情報を含む。このようにして、UEは、CCを使用してUEにより送信されたアップリンク信号のクロックが基地局側の受信端で一致することを保証するために、CCのTAに基づいてCC上で、前記アップリンク信号を送信し得る。
【０００４】
しかしながら、UEに対応するCCがPUSCHを伝送するために使用されないCCである場合、すなわち、CC上でランダムアクセスが実行することができない場合、UEがCC上でアップリンク信号を送信することに基づくTAは、従来技術を使用して取得することができない。その結果、キャリア切り換えをサポートする場合、すなわち、キャリア切り換えの後にアップリンクデータを送信するためにCCが使用することができる場合、UEは依然としてCCを使用してアップリンクデータを送信することはできない。
【発明の概要】
【課題を解決するための手段】
【０００５】
本発明の実施形態は、UEに対応するCCがPUSCHを送信するために使用されないCCである場合、すなわち、ランダムアクセスがCC上で実行できない場合、前記UEがCC上でアップリンク信号を送信することに基づくTAを取得することができない、という従来技術の問題を解決するためのTA取得方法及び装置を提供する。
【０００６】
第1の態様によると、本発明の実施形態は、TA取得方法を提供し、
基地局により送信された指示メッセージを受信するステップと、
前記指示メッセージに基づいてセカンドキャリアのタイミング・アドバンス（TA）を取得するステップであって、前記セカンドキャリアは、PUSCHの送信に使用されないキャリアである、ステップと、
を含む。
【０００７】
第1の態様において提供されるTA取得方法は、前記指示メッセージを前記基地局により生成するステップ、及び前記指示メッセージをUEに送信するステップ、及び前記基地局により送信された前記指示メッセージを前記UEにより受信するステップ、及び前記指示メッセージに基づいて前記セカンドキャリアの前記タイミング・アドバンス（TA）を取得するステップを含み、前記セカンドキャリアは、PUSCHの送信に使用されないキャリアである。このように、前記セカンドキャリアは、PUSCHの送信に使用されないキャリアであるが、前記セカンドキャリアの前記TAは依然として取得できる。
【０００８】
オプションで、第1の態様の可能な実装では、前記方法は、ファーストキャリアから前記セカンドキャリアに切り替えるステップをさらに含む。
【０００９】
オプションで、第1の態様の可能な実装では、前記指示メッセージは、前記セカンドキャリア上で送信される必要があるプリアンブル及び／又はリソース伝送識別子を含む。
【００１０】
オプションで、第1の態様の可能な実装では、前記リソース伝送識別子は、以下のサブフレーム識別子、直交周波数分割多重(OFDM)シンボル位置識別子、キャリア識別子、及び物理リソースブロック識別子の少なくとも1つを含む。
【００１１】
オプションで、第1の態様の可能な実装では、前記指示メッセージに基づいてセカンドキャリアのTAを取得する前記ステップは、
前記プリアンブルを前記セカンドキャリア上で、前記基地局に送信するステップ
を含む。
【００１２】
オプションで、第1の態様の可能な実装では、前記指示メッセージに基づいてセカンドキャリアのTAを取得する前記ステップは、
前記基地局により送信された応答メッセージを受信するステップであって、前記応答情報は、前記セカンドキャリアの前記TA及び／又はランダムアクセス電力オフセットを含むステップ
を含む。
【００１３】
オプションで、第1の態様の可能な実装では、前記TAは、前記プリアンブルに関する情報を受信することに基づいて前記基地局により決定される。
【００１４】
オプションで、第1の態様の可能な実装では、前記指示メッセージは、基地局間の同期信号及び／又は同期差を含む。
【００１５】
オプションで、第1の態様の可能な実装では、前記指示メッセージに基づいてセカンドキャリアのTAを取得する前記ステップは、
前記サードキャリアを使用して送信された前記同期信号の第1の受信時間を決定するステップ、及び前記セカンドキャリアを使用して送信された前記同期信号の第2の受信時間を決定するステップ
を含む。
【００１６】
オプションで、第1の態様の可能な実装では、前記指示メッセージに基づいてセカンドキャリアのTAを取得する前記ステップは、
前記第2の受信時間と前記第1の受信時間との差、及び前記サードキャリアのTAに基づいて前記セカンドキャリアの前記TAを決定するステップ
を含む。
【００１７】
オプションで、第1の態様の可能な実装では、前記セカンドキャリアの前記TAは、ダウンリンクTAである。
【００１８】
オプションで、第1の態様の可能な実装では、前記ダウンリンクTAは、どのアップリンク信号が前記セカンドキャリア上で送信されるかに基づいて、アップリンクTAとして使用される。
【００１９】
オプションで、第1の態様の可能な実装では、前記指示メッセージは、基地局間の同期信号及び／又は同期差を含む。
【００２０】
オプションで、第1の態様の可能な実装では、前記指示メッセージに基づいてセカンドキャリアのTAを取得する前記ステップは、
前記サードキャリアを使用して送信された前記同期信号の第1の受信時間を決定するステップ、及び前記セカンドキャリアを使用して送信された前記同期信号の第2の受信時間を決定するステップ
を含む。
【００２１】
オプションで、第1の態様の可能な実装では、前記指示メッセージに基づいてセカンドキャリアのTAを取得する前記ステップは、
前記第2の受信時間と前記第1の受信時間との差、前記基地局間の前記同期差、及び前記サードキャリアのTAに基づいて前記セカンドキャリアの前記TAを決定するステップ
を含む。
【００２２】
オプションで、第1の態様の可能な実装では、前記サードキャリアと前記ファーストキャリアは同じキャリアである。
【００２３】
オプションで、第1の態様の可能な実装では、前記ファーストキャリアと前記セカンドキャリアは、異なるタイミング・アドバンス・グループ(TAG)にある。
【００２４】
オプションで、第1の態様の可能な実装では、前記応答メッセージは、ランダムアクセス応答の有効なペイロードを修正することにより形成される新たなランダムアクセス応答メッセージ、又はタイミング・アドバンス・メディアアクセス制御・制御要素(新たに説明されたTA MAC CE)、又はTA MAC CE、又はランダムアクセス応答のフレームフォーマットを修正することにより形成される新たなランダムアクセス応答メッセージ、又は既存のメディアアクセス制御・制御要素(MAC CE)、又はランダムアクセス応答である。
【００２５】
オプションで、第1の態様の可能な実装では、基地局により送信された指示メッセージを受信する前記ステップは、
前記セカンドキャリアを使用して送信された前記指示メッセージを受信するステップ
を含む。
【００２６】
オプションで、第1の態様の可能な実装では、前記基地局により送信された応答メッセージを受信する前記ステップは、
前記セカンドキャリアを使用して送信された前記応答メッセージを受信するステップ
を含む。
【００２７】
オプションで、第1の態様の可能な実装では、前記指示メッセージは、フォースキャリアの数又は、前記ファーストキャリアの数を含む。
【００２８】
オプションで、第1の態様の可能な実装では、前記基地局により送信された応答メッセージを受信する前記ステップは、
前記基地局により送信された前記応答メッセージを前記フォースキャリア又は、前記ファーストキャリア上で受信するステップ
を含む。
【００２９】
オプションで、第1の態様の可能な実装では、前記指示情報は、無線リソース制御(RRC)シグナリング又は物理レイヤシグナリングである。
【００３０】
オプションで、第1の態様の可能な実装では、前記指示メッセージに基づいてセカンドキャリアのTAを取得する前記ステップは、
前記基地局により送信された物理ダウンリンク制御チャネル(PDCCH)コマンドを受信するステップ
を含む。
【００３１】
オプションで、第1の態様の可能な実装では、前記指示メッセージに基づいてセカンドキャリアのTAを取得する前記ステップは、
前記基地局により送信された応答メッセージを受信するステップであって、前記応答情報は、前記セカンドキャリアの前記TAと前記ファーストキャリアのTAとの差を含む、ステップ
を含む。
【００３２】
オプションで、第1の態様の可能な実装では、前記指示メッセージに基づいてセカンドキャリアのTAを取得する前記ステップは、
前記セカンドキャリアの前記TAと前記ファーストキャリアの前記TAとの前記差、及び前記ファーストキャリアの前記TAに基づいて前記セカンドキャリアの前記TAを決定するステップ
を含む。
【００３３】
オプションで、第1の態様の可能な実装では、前記指示メッセージは、前記応答メッセージの種類情報及び／又は、前記応答メッセージの時間セグメントに関する情報をさらに含む。
【００３４】
オプションで、第1の態様の可能な実装では、前記基地局により送信された応答メッセージを受信する前記ステップは、
前記時間セグメントにおいて、前記基地局により送信された前記応答メッセージを受信するステップ
を含む。
【００３５】
オプションで、第1の態様の可能な実装では、前記基地局により送信された応答メッセージを受信する前記ステップは、
前記応答メッセージの種類情報に基づいて前記応答メッセージを解析するステップ
を含む。
【００３６】
第2の態様によると、本発明の実施形態は、TA取得方法を提供し、
セカンドキャリアとサードキャリアが同じタイミング・アドバンス・グループ(TAG)に属するかどうかを判定するステップであって、前記セカンドキャリアは、PUSCHの送信に使用されないキャリアである、ステップと、
肯定の場合は、前記セカンドキャリアのTAは、前記サードキャリアのTAと同じであると決定するステップ
を含む。
【００３７】
第2の態様において提供されるTA取得方法は、前記セカンドキャリア及び前記サードキャリアが同じタイミング・アドバンス・グループ(TAG)に属するかどうかを決定するステップであって、前記セカンドキャリアは、PUSCHの送信に使用されないキャリアである、ステップと、肯定の場合は、前記セカンドキャリアの前記TAは、前記サードキャリアの前記TAと同じであると決定するステップとを含む。このようにして、前記セカンドキャリアは、PUSCHの送信に使用されないキャリアであるが、前記セカンドキャリアの前記TAは依然として取得できる。
【００３８】
オプションで、第2の態様の可能な実装では、前記方法は、
前記セカンドキャリアの前記TAに基づいて前記セカンドキャリア上でアップリンク信号を送信するステップ
をさらに含む。
【００３９】
オプションで、第2の態様の可能な実装では、前記アップリンク信号は、サウンディング参照信号(SRS)である。
【００４０】
オプションで、第2の態様の可能な実装では、前記方法は、
ファーストキャリアから前記セカンドキャリアに切り替えるステップ
をさらに含む。
【００４１】
オプションで、第2の態様の可能な実装では、前記サードキャリアと前記ファーストキャリアは同じキャリアである。
【００４２】
オプションで、第2の態様の可能な実装では、前記サードキャリアは、前記ファーストキャリアとは異なっており、前記サードキャリアは、アップリンクキャリアである。
【００４３】
第3の態様によると、本発明の実施形態は、TA取得方法を提供し、
指示メッセージを生成するステップであって、前記指示メッセージは、ユーザ機器(UE)にタイミング・アドバンス（TA）を取得するように指示するために使用される、ステップと、
前記指示メッセージを前記UEに送信するステップと、
を含む。
【００４４】
オプションで、第3の態様の可能な実装では、前記指示メッセージは、前記セカンドキャリア上で送信される必要があるプリアンブル及び／又はリソース伝送識別子を含む。
【００４５】
オプションで、第3の態様の可能な実装では、前記リソース伝送識別子は、以下のサブフレーム識別子、直交周波数分割多重(OFDM)シンボル位置識別子、キャリア識別子、及び物理リソースブロック識別子の少なくとも1つを含む。
【００４６】
オプションで、第3の態様の可能な実装では、前記方法は、
前記セカンドキャリア上で、前記UEにより送信された前記プリアンブルを受信するステップ
をさらに含む。
【００４７】
オプションで、第3の態様の可能な実装では、前記方法は、
応答メッセージを前記UEに送信するステップであって、前記応答情報は、前記セカンドキャリアの前記TA及び／又はランダムアクセス電力オフセットを含む、ステップ
をさらに含む。
【００４８】
オプションで、第3の態様の可能な実装では、前記方法は、
前記プリアンブルに関する情報を受信することに基づいて、前記TAを決定するステップ
をさらに含む。
【００４９】
オプションで、第3の態様の可能な実装では、前記指示メッセージは、基地局間の同期信号及び／又は同期差を含む。
【００５０】
オプションで、第3の態様の可能な実装では、前記方法は、
サードキャリア及び前記セカンドキャリアを使用して前記同期信号を別々に前記UEに送信するステップをさらに含み、前記UEは、前記同期信号が前記サードキャリア上で受信される第1の受信時間と前記同期信号が前記セカンドキャリア上で受信される第2の受信時間との差、及び前記サードキャリアのTAに基づいて、前記セカンドキャリアの前記TAを決定する。
【００５１】
オプションで、第3の態様の可能な実装では、前記方法は、
サードキャリア及び前記セカンドキャリアを使用して前記同期信号を別々に前記UEに送信するステップをさらに含み、前記UEは、前記同期信号が前記サードキャリア上で受信される第1の受信時間と前記同期信号が前記セカンドキャリア上で受信される第2の受信時間との差、前記基地局間の前記同期差、及び前記サードキャリアのTAに基づいて、前記セカンドキャリアの前記TAを決定する。
【００５２】
オプションで、第3の態様の可能な実装では、前記応答メッセージは、ランダムアクセス応答の有効なペイロードを修正することにより形成される新たなランダムアクセス応答メッセージ、又はタイミング・アドバンス・メディアアクセス制御・制御要素(新たに説明されたTA MAC CE)、又はTA MAC CE、又はランダムアクセス応答のフレームフォーマットを修正することにより形成される新たなランダムアクセス応答メッセージ、又は既存のメディアアクセス制御・制御要素(MAC CE)、又はランダムアクセス応答である。
【００５３】
オプションで、第3の態様の可能な実装では、前記方法は、
前記セカンドキャリアを使用して前記指示メッセージを前記UEに送信するステップ
をさらに含む。
【００５４】
オプションで、第3の態様の可能な実装では、前記方法は、
前記セカンドキャリアを使用して前記応答メッセージを前記UEに送信するステップ
をさらに含む。
【００５５】
オプションで、第3の態様の可能な実装では、前記指示メッセージは、フォースキャリアの数又はファーストキャリアの数をさらに含む。
【００５６】
オプションで、第3の態様の可能な実装では、前記方法は、
前記フォースキャリア又は、前記ファーストキャリアを使用して前記応答メッセージを前記UEに送信するステップ
をさらに含む。
【００５７】
オプションで、第3の態様の可能な実装では、前記指示情報は、無線リソース制御(RRC)シグナリング又は物理レイヤシグナリングである。
【００５８】
オプションで、第3の態様の可能な実装では、前記方法は、
物理ダウンリンク制御チャネル(PDCCH)コマンドを前記UEに送信するステップ
をさらに含む。
【００５９】
オプションで、第3の態様の可能な実装では、前記方法は、
応答メッセージを前記UEに送信するステップをさらに含み、前記UEは、前記セカンドキャリアの前記TAとファーストキャリアのTAとの差、及び前記ファーストキャリアの前記TAに基づいて、前記セカンドキャリアの前記TAを決定し、前記応答情報は、前記セカンドキャリアの前記TAと前記ファーストキャリアの前記TAとの前記差を含む。
【００６０】
オプションで、第3の態様の可能な実装では、前記指示メッセージは、前記応答メッセージの種類情報及び／又は、前記応答メッセージの時間セグメントに関する情報をさらに含む。
【００６１】
オプションで、第3の態様の可能な実装では、前記方法は、
前記UEが前記時間セグメントにおいて前記応答メッセージを受信できるように、前記応答メッセージを前記UEに送信するステップ
をさらに含む。
【００６２】
オプションで、第3の態様の可能な実装では、前記方法は、
前記UEが前記応答メッセージの種類情報に基づいて前記応答メッセージを解析できるように、前記応答メッセージを前記UEに送信するステップ
をさらに含む。
【００６３】
第3の態様及び第3の態様の可能な実装において提供されるTA取得方法の有益な効果については、第1の態様及び第1の態様の可能な実装の有益な効果を参照されたい。詳細は本明細書では再度説明しない。
【００６４】
第4の態様によると、本発明の実施形態は、TA取得装置を提供し、
基地局により送信された指示メッセージを受信するように構成された受信器と、
前記指示メッセージに基づいてセカンドキャリアのタイミング・アドバンス（TA）を取得するように構成されたプロセッサであって、前記セカンドキャリアは、PUSCHの送信に使用されないキャリアである、プロセッサと、
を含む。
【００６５】
オプションで、第4の態様の可能な実装では、前記装置は、
ファーストキャリアから前記セカンドキャリアに切り替えるように構成されている切り替え器
をさらに含む。
【００６６】
オプションで、第4の態様の可能な実装では、前記指示メッセージは、前記セカンドキャリア上で送信される必要があるプリアンブル及び／又はリソース伝送識別子を含む。
【００６７】
オプションで、第4の態様の可能な実装では、前記リソース伝送識別子は、以下のサブフレーム識別子、直交周波数分割多重(OFDM)シンボル位置識別子、キャリア識別子、及び物理リソースブロック識別子の少なくとも1つを含む。
【００６８】
オプションで、第4の態様の可能な実装では、前記プロセッサは、具体的には、前記セカンドキャリア上で、前記プリアンブルを前記基地局に送信するように構成されている。
【００６９】
オプションで、第4の態様の可能な実装では、前記プロセッサは、具体的には、前記基地局により送信された応答メッセージを受信するように構成されており、前記応答情報は、前記セカンドキャリアの前記TA及び／又はランダムアクセス電力オフセットを含む。
【００７０】
オプションで、第4の態様の可能な実装では、前記TAは、前記プリアンブルに関する情報を受信することに基づいて前記基地局により決定される。
【００７１】
オプションで、第4の態様の可能な実装では、前記指示メッセージは、基地局間の同期信号及び／又は同期差を含む。
【００７２】
オプションで、第4の態様の可能な実装では、前記プロセッサは、具体的には、前記サードキャリアを使用して送信された前記同期信号の第1の受信時間を決定し、前記セカンドキャリアを使用して送信された前記同期信号の第2の受信時間を決定するように構成されている。
【００７３】
オプションで、第4の態様の可能な実装では、前記プロセッサは、具体的には、前記第2の受信時間と前記第1の受信時間との差、及び前記サードキャリアのTAに基づいて前記セカンドキャリアの前記TAを決定するように構成されている。
【００７４】
オプションで、第4の態様の可能な実装では、前記セカンドキャリアの前記TAは、ダウンリンクTAである。
【００７５】
オプションで、第4の態様の可能な実装では、前記ダウンリンクTAは、どのアップリンク信号が前記セカンドキャリア上で送信されるかに基づいて、アップリンクTAとして使用される。
【００７６】
オプションで、第4の態様の可能な実装では、前記指示メッセージは、基地局間の同期信号及び／又は同期差を含む。
【００７７】
オプションで、第4の態様の可能な実装では、前記プロセッサは、具体的には、前記サードキャリアを使用して送信された前記同期信号の第1の受信時間を決定し、前記セカンドキャリアを使用して送信された前記同期信号の第2の受信時間を決定するように構成されている。
【００７８】
オプションで、第4の態様の可能な実装では、前記プロセッサは、具体的には、前記第2の受信時間と前記第1の受信時間との差、前記基地局間の前記同期差、及び前記サードキャリアのTAに基づいて前記セカンドキャリアの前記TAを決定するように構成されている。
【００７９】
オプションで、第4の態様の可能な実装では、前記サードキャリアと前記ファーストキャリアは同じキャリアである。
【００８０】
オプションで、第4の態様の可能な実装では、前記ファーストキャリアと前記セカンドキャリアは、異なるタイミング・アドバンス・グループ(TAG)にある。
【００８１】
オプションで、第4の態様の可能な実装では、前記応答メッセージは、ランダムアクセス応答の有効なペイロードを修正することにより形成される新たなランダムアクセス応答メッセージ、又はタイミング・アドバンス・メディアアクセス制御・制御要素(新たに説明されたTA MAC CE)、又はTA MAC CE、又はランダムアクセス応答のフレームフォーマットを修正することにより形成される新たなランダムアクセス応答メッセージ、又は既存のメディアアクセス制御・制御要素(MAC CE)、又はランダムアクセス応答である。
【００８２】
オプションで、第4の態様の可能な実装では、前記受信器は、具体的には、前記セカンドキャリアを使用して送信された前記指示メッセージを受信するように構成されている。
【００８３】
オプションで、第4の態様の可能な実装では、前記プロセッサは、具体的には、前記セカンドキャリアを使用して前記基地局により送信された前記応答メッセージを受信するように構成されている。
【００８４】
オプションで、第4の態様の可能な実装では、前記指示メッセージは、フォースキャリアの数又は、前記ファーストキャリアの数を含む。
【００８５】
オプションで、第4の態様の可能な実装では、前記プロセッサは、具体的には、前記基地局により送信された前記応答メッセージを前記フォースキャリア又は、前記ファーストキャリア上で受信するように構成されている。
【００８６】
オプションで、第4の態様の可能な実装では、前記指示情報は、無線リソース制御(RRC)シグナリング又は物理レイヤシグナリングである。
【００８７】
オプションで、第4の態様の可能な実装では、前記プロセッサは、具体的には、前記基地局により送信された物理ダウンリンク制御チャネル(PDCCH)コマンドを受信するように構成されている。
【００８８】
オプションで、第4の態様の可能な実装では、前記プロセッサは、具体的には、前記基地局により送信された応答メッセージを受信するように構成されていおり、前記応答情報は、前記セカンドキャリアの前記TAと前記ファーストキャリアのTAとの差を含む。
【００８９】
オプションで、第4の態様の可能な実装では、前記プロセッサは、具体的には、前記セカンドキャリアの前記TAと前記ファーストキャリアの前記TAとの前記差、及び前記ファーストキャリアの前記TAに基づいて前記セカンドキャリアの前記TAを決定するように構成されている。
【００９０】
オプションで、第4の態様の可能な実装では、前記指示メッセージは、前記応答メッセージの種類情報及び／又は、前記応答メッセージの時間セグメントに関する情報をさらに含む。
【００９１】
オプションで、第4の態様の可能な実装では、前記プロセッサは、具体的には、前記基地局により送信された前記応答メッセージを前記時間セグメントにおいて受信するように構成されている。
【００９２】
オプションで、第4の態様の可能な実装では、前記プロセッサは、具体的には、前記応答メッセージの種類情報に基づいて前記応答メッセージを解析するように構成されている。
【００９３】
第4の態様及び第4の態様の可能な実装において提供されたTA取得装置の有益な効果については、第1の態様及び第1の態様の可能な実装の有益な効果を参照されたい。詳細は本明細書では再度説明しない。
【００９４】
第5の態様によると、本発明の実施形態は、TA取得装置を提供し、
セカンドキャリアとサードキャリアが同じタイミング・アドバンス・グループ（TAG）に属しているかどうかを決定するように構成されたプロセッサであって、前記セカンドキャリアは、PUSCHの送信に使用されないキャリアである、プロセッサ
を含み、
肯定の場合は、前記プロセッサは、前記セカンドキャリアのTAは、前記サードキャリアのTAと同じであると決定するようにさらに構成されている。
【００９５】
オプションで、第5の態様の可能な実装では、前記装置は、
前記セカンドキャリアの前記TAに基づいて前記セカンドキャリア上でアップリンク信号を送信するように構成されている送信器
をさらに含む。
【００９６】
オプションで、第5の態様の可能な実装では、前記アップリンク信号は、サウンディング参照信号(SRS)である。
【００９７】
オプションで、第5の態様の可能な実装では、前記装置は、
ファーストキャリアから前記セカンドキャリアに切り替えるように構成されている切り替え器
をさらに含む。
【００９８】
オプションで、第5の態様の可能な実装では、前記サードキャリアと前記ファーストキャリアは同じキャリアである。
【００９９】
オプションで、第5の態様の可能な実装では、前記サードキャリアは、前記ファーストキャリアとは異なっており、前記サードキャリアは、アップリンクキャリアである。
【０１００】
第5の態様及び第5の態様の可能な実装において提供されるTA取得装置の有益な効果については、第2の態様及び第2の態様の可能な実装の有益な効果を参照されたい。詳細は本明細書では再度説明しない。
【０１０１】
第6の態様によると、本発明の実施形態は、TA取得装置を提供し、
指示メッセージを生成するように構成されたプロセッサであって、前記指示メッセージは、ユーザ機器(UE)にタイミング・アドバンス（TA）を取得するように指示するために使用される、プロセッサと、
前記指示メッセージを前記UEに送信するように構成された送信器と、
を含む。
【０１０２】
オプションで、第6の態様の可能な実装では、前記指示メッセージは、前記セカンドキャリア上で送信される必要があるプリアンブル及び／又はリソース伝送識別子を含む。
【０１０３】
オプションで、第6の態様の可能な実装では、前記リソース伝送識別子は、以下のサブフレーム識別子、直交周波数分割多重(OFDM)シンボル位置識別子、キャリア識別子、及び物理リソースブロック識別子の少なくとも1つを含む。
【０１０４】
オプションで、第6の態様の可能な実装では、前記装置は、
前記セカンドキャリア上で、前記UEにより送信された前記プリアンブルを受信するように構成された受信器
をさらに含む。
【０１０５】
オプションで、第6の態様の可能な実装では、前記装置は、
応答メッセージを前記UEに送信するように構成された送信器であって、前記応答情報は、前記セカンドキャリアの前記TA及び／又はランダムアクセス電力オフセットを含む、送信器
をさらに含む。
【０１０６】
オプションで、第6の態様の可能な実装では、前記プロセッサは、
前記プリアンブルに関する情報を受信することに基づいて前記TAを決定する
ようにさらに構成されている。
【０１０７】
オプションで、第6の態様の可能な実装では、前記指示メッセージは、基地局間の同期信号及び／又は同期差を含む。
【０１０８】
オプションで、第6の態様の可能な実装では、前記プロセッサは、
サードキャリア及び前記セカンドキャリアを使用して前記UEに別々に前記同期信号を送信ようにさらに構成され、前記UEは、前記同期信号が前記サードキャリア上で受信される第1の受信時間と前記同期信号が前記セカンドキャリア上で受信される第2の受信時間との差、及び前記サードキャリアのTAに基づいて、前記セカンドキャリアの前記TAを決定する。
【０１０９】
オプションで、第6の態様の可能な実装では、前記プロセッサは、
サードキャリア及び前記セカンドキャリアを使用して前記UEに別々に前記同期信号を送信するようにさらに構成され、前記UEは、前記同期信号が前記サードキャリア上で受信される第1の受信時間と前記同期信号が前記セカンドキャリア上で受信される第2の受信時間との差、前記基地局間の前記同期差、及び前記サードキャリアのTAに基づいて、前記セカンドキャリアの前記TAを決定する。
【０１１０】
オプションで、第6の態様の可能な実装では、前記応答メッセージは、ランダムアクセス応答の有効なペイロードを修正することにより形成される新たなランダムアクセス応答メッセージ、又はタイミング・アドバンス・メディアアクセス制御・制御要素(新たに説明されたTA MAC CE)、又はTA MAC CE、又はランダムアクセス応答のフレームフォーマットを修正することにより形成される新たなランダムアクセス応答メッセージ、又は既存のメディアアクセス制御・制御要素(MAC CE)、又はランダムアクセス応答である。
【０１１１】
オプションで、第6の態様の可能な実装では、前記送信器は、
前記セカンドキャリアを使用して前記指示メッセージを前記UEに送信する
ようにさらに構成されている。
【０１１２】
オプションで、第6の態様の可能な実装では、前記送信器は、
前記セカンドキャリアを使用して前記応答メッセージを前記UEに送信する
ようにさらに構成されている。
【０１１３】
オプションで、第6の態様の可能な実装では、前記指示メッセージは、フォースキャリアの数又はファーストキャリアの数をさらに含む。
【０１１４】
オプションで、第6の態様の可能な実装では、前記送信器は、
前記フォースキャリア又は、前記ファーストキャリアを使用して前記応答メッセージを前記UEに送信する
ようにさらに構成されている。
【０１１５】
オプションで、第6の態様の可能な実装では、前記指示情報は、無線リソース制御(RRC)シグナリング又は物理レイヤシグナリングである。
【０１１６】
オプションで、第6の態様の可能な実装では、前記送信器は、
物理ダウンリンク制御チャネル(PDCCH)を前記UEに送信する
ようにさらに構成されている。
【０１１７】
オプションで、第6の態様の可能な実装では、前記送信器は、
応答メッセージを前記UEに送信するようにさらに構成され、前記UEは、前記セカンドキャリアの前記TAとファーストキャリアのTAとの差、及び前記ファーストキャリアの前記TAに基づいて、前記セカンドキャリアの前記TAを決定し、前記応答情報は、前記セカンドキャリアの前記TAと前記ファーストキャリアの前記TAとの前記差を含む。
【０１１８】
オプションで、第6の態様の可能な実装では、前記指示メッセージは、前記応答メッセージの種類情報及び／又は、前記応答メッセージの時間セグメントに関する情報をさらに含む。
【０１１９】
オプションで、第6の態様の可能な実装では、前記送信器は、
前記UEが前記時間セグメントにおいて前記応答メッセージを受信できるように、前記応答メッセージを前記UEに送信する
ようにさらに構成されている。
【０１２０】
オプションで、第6の態様の可能な実装では、前記送信器は、
前記UEが前記応答メッセージの種類情報に基づいて前記応答メッセージを解析できるように、前記応答メッセージを前記UEに送信する
ようにさらに構成されている。
【０１２１】
第6の態様及び第6の態様の可能な実装において提供されたTA取得装置の有益な効果については、第1の態様及び第1の態様の可能な実装の有益な効果を参照されたい。詳細は本明細書では再度説明しない。
【０１２２】
本発明の実施形態は、TA取得方法及び装置を提供する。前記方法は、指示メッセージを基地局により生成するステップと、前記指示メッセージをUEに送信するステップと、前記基地局により送信された前記指示メッセージを前記UEにより受信するステップと、前記指示メッセージに基づいてセカンドキャリアのタイミング・アドバンス（TA）を取得するステップとを含み、前記セカンドキャリアは、PUSCHの送信に使用されないキャリアである。このようにして、前記セカンドキャリアは、PUSCHの送信に使用されないキャリアであるが、前記セカンドキャリアの前記TAは依然として取得できる。
【０１２３】
本発明の実施形態における、または従来技術における技術的解決策をより明瞭に説明するために、以下に、それらの実施形態、または従来技術を説明するのに必要な添付の図面を簡単に概説する。明らかに、以下の説明における添付の図面は、本発明のいくつかの実施形態を示すに過ぎず、当業者は、創造的な取り組みなしに、添付の図面に従って他の図面をさらに得ることができる。
【図面の簡単な説明】
【０１２４】
【図１】図1は、本発明の実施形態によるＬＴＥシステムのアーキテクチャの概略図である。
【図２】図2は、本発明の実施形態によるＴＡ取得方法の実施形態1のシグナリングフローチャートである。
【図３】図3は、本発明の実施形態によるＴＡ取得方法の実施形態2のシグナリングフローチャートである。
【図４】図4は、本発明の実施形態によるＴＡ取得方法の実施形態3のシグナリングフローチャートである。
【図５】図5は、本発明の実施形態によるＴＡ取得方法の実施形態4のシグナリングフローチャートである。
【図６】図6は、本発明の実施形態によるＴＡ取得方法の実施形態5の方法フローチャートである。
【図７】図7は、本発明の実施形態によるＴＡ取得装置の実施形態1の概略構成図である。
【図８】図8は、本発明の実施形態によるＴＡ取得装置の実施形態2の概略構成図である。
【図９】図9は、本発明の実施形態によるＴＡ取得装置の実施形態2の概略構成図である。
【発明を実施するための形態】
【０１２５】
本発明の実施形態で提供されるTA取得方法及び装置は、LTEシステムのネットワークアーキテクチャに適用することができ、又は次世代(4.5G又は5G)通信システムのネットワークアーキテクチャに適用することができる。
【０１２６】
図1は、本発明の実施形態によるＬＴＥシステムのアーキテクチャの概略図である。図1に示されているように、一例としてLTEシステムが使用される。LTEシステムは、 includes UE、発展型Node B(Evolved Node B, 略してeNodeB)、及び発展型パケットコア(Evolved Packet Core, 略してEPC)を含む。EPCは、コアネットワーク部分を担当し、モビリティ管理エンティティ(Mobility Management Entity, 略してMME)は、シグナリング処理を担当し、サービングゲートウェイ(Serving Gateway, 略してS-GW)は、データ処理を担当し、そしてeNodeBは、進化型UMTS地上無線アクセスネットワーク(evolved UTRAN, 進化型UTRAN)とも呼ばれるアクセスネットワーク部分を担当する。LTEシステムは、他の3GPPシステムとの相互運用をサポートする。異なる複信様式に基づいて、LTEシステムは、周波数分割複信LTEシステム(Frequency Division Duplexing-LTE, 略してFDD-LTE)と、時分割複信LTEシステム(Time Division Duplexing-LTE, 略してTDD-LTE)とに分類される。
【０１２７】
本発明のこの実施形態で提供される端末は、携帯電話又はタブレットコンピュータなどの無線端末であり得る。無線端末は、音声及び／又はデータサービスをユーザに提供する装置をすくむ。端末は、さらにハンドヘルドデバイス、車載デバイス、ウェアラブルデバイス、及び無線接続機能備えたコンピューティングデバイス、並びに様々なユーザ機器(UE)、移動局(Mobile Station, 略してMS)、及び端末(terminal)であってもよい。これは、本発明のこの実施形態において限定されない。
【０１２８】
本発明のこの実施形態の基地局では、LTE通信ネットワーク及びその後の発展型通信ネットワークにおける無線ネットワークリソースを管理する任意のデバイスであり得る。例えば、基地局は、LTEにおける発展型Node B(eNB)であり得、さらに5Gにおける無線送受信デバイス(NeXt Node, 略してNX)であってもよい。これは、本発明のこの実施形態において限定されない。
【０１２９】
UEに対応するCCがPUSCHを送信するために使用されないCCである場合、すなわち、ランダムアクセスをCC上で実行できず、UEがCC上でアップリンク信号を送信することに基づくTAが取得できないという従来技術における技術的問題を解決するために本発明の実施形態は、TA取得方法及び装置を提供する。
【０１３０】
本発明の技術的解決策を詳細に説明するために特定の実施形態を以下に使用する。以下のいくつかの特定の実施形態は互いに組み合わせることができ、同じまたは類似の概念またはプロセスは、いくつかの実施形態では繰り返し説明されないことがある。当業者は本発明の実施形態について、互いに参照し、明確に理解することができる。簡潔な説明を容易にするために、上記のデバイスおよびデバイス内のモジュールまたはユニットの具体的な作業プロセス、ならびに上記のデバイスを含む通信システムの作業プロセスについては、方法の実施形態における対応するプロセスの説明を参照されたい。
【０１３１】
図2は、本発明の実施形態によるＴＡ取得方法の実施形態1のシグナリングフローチャートである。PUSCHを送信するために使用されないCC上のRACHは、必要なTAを取得するために、アップリンクCC上に構成される。図2に示されているように、本発明のこの実施形態で提供されるTA取得方法は、以下のステップを含む。
【０１３２】
S101：基地局が、指示メッセージを生成する。
【０１３３】
可能な実装では、UEがファーストキャリアからセカンドキャリアに切り替える必要がある場合、基地局は、指示メッセージを生成する。
【０１３４】
別の可能な実装では、基地局がアップリンクデータを送信する必要がある場合、例えば、セカンドキャリアを使用してSRSを送信する場合、基地局は、指示メッセージを生成する。
【０１３５】
本発明のこの実施形態では、指示メッセージは、複数の実装を有し得る。これは、本発明のこの実施形態において限定されない。
【０１３６】
可能な実装では、指示メッセージは、セカンドキャリア上で送信される必要があるプリアンブル及びリソース伝送識別子を含む。
【０１３７】
本発明のこの実施形態では、指示メッセージをUEに送信し得るため、それにより基地局は、UEは、指示メッセージに戻づいてランダムアクセスを実行できる。
【０１３８】
別の可能な実装では、指示メッセージは、基地局間の同期信号及び／又は同期差を含む。
【０１３９】
本発明のこの実施形態では、基地局は、指示メッセージをUEに送信し得るため、UEは、指示メッセージに基づいて、同期信号の受信時間差の測定ができる。
【０１４０】
さらに、指示情報は、無線リソース制御(RRC)シグナリング又は物理レイヤシグナリングであり得ることに留意すべきである。
【０１４１】
S102：基地局が、指示メッセージをUEに送信する。
【０１４２】
可能な実装では、基地局は、ファーストキャリアを使用して指示メッセージを送信する。
【０１４３】
別の可能な実装では、基地局は、セカンドキャリアを使用して指示メッセージを送信する。
【０１４４】
ファーストキャリアは、切り替え元のキャリアであり、セカンドキャリアは、切り替え先のキャリアであることに留意すべきである。
【０１４５】
S103：UEが、基地局により送信された指示メッセージを受信する。
【０１４６】
S104：UEが、指示メッセージに基づいて、セカンドキャリアのタイミング・アドバンス（TA）を取得する。セカンドキャリアは、PUSCHの送信に使用されないキャリアである。
【０１４７】
本発明のこの実施形態で提供されるTA取得方法は、指示メッセージを基地局により生成するステップ及び指示メッセージをUEに送信するステップ、並びに、基地局により送信された指示メッセージをUEにより受信するステップ及び指示メッセージに基づいてセカンドキャリアのタイミング・アドバンス（TA）を取得するステップを含み、セカンドキャリアは、PUSCHの送信に使用されないキャリアである。このようにして、セカンドキャリアは、PUSCHの送信に使用されないキャリアであるが、セカンドキャリアのTAは依然として取得できる。
【０１４８】
図3は、本発明の実施形態によるＴＡ取得方法の実施形態2のシグナリングフローチャートである。図3に示されているように、図2に示されている実施形態に基づいて、本発明のこの実施形態で提供されるTA取得方法は、以下のステップを含む。
【０１４９】
S201：基地局が、指示メッセージを生成する。
【０１５０】
可能な実装では、指示メッセージは、セカンドキャリア上で送信される必要があるプリアンブル及び／又はリソース伝送識別子を含む。
【０１５１】
具体的には、リソース伝送識別子は、サブフレーム識別子、直交周波数分割多重(OFDM)シンボル位置識別子、キャリア識別子、及び物理リソースブロック識別子のいずれか1つを含む。
【０１５２】
サブフレーム識別子は、UEがセカンドキャリア上で、プリアンブルを送信するサブフレームを示すために使用される。
【０１５３】
OFDMシンボル位置識別子は、セカンドキャリア上で、UEにより送信されたプリアンブルが送信されるOFDMシンボル位置を示すために使用される。
【０１５４】
物理リソースブロック識別子は、UEがプリアンブルを送信する物理リソースブロック及びUEがプリアンブルを送信するサブフレームセカンドキャリアのを示すために使用される。
【０１５５】
キャリア識別子は、キャリア識別子に対応するキャリア上で基地局により送信された応答メッセージを受信するようにUEに指示するために使用される。
【０１５６】
別の可能な実装では、指示メッセージは、セカンドキャリア上で送信される必要があるプリアンブル及び／又はリソース伝送、及びフォースキャリアの数又はファーストキャリアの数を含む。
【０１５７】
フォースキャリアの数又はファーストキャリアの数は、UEがプリアンブルを使用してランダムアクセスを実行した後、UEは、フォースキャリア又は、ファーストキャリア上のランダムアクセス応答メッセージを受信する必要があることを、UEに示すために使用されることに留意すべきである。
【０１５８】
さらに別の可能な実施形態では、指示メッセージは、セカンドキャリア上で送信される必要があるプリアンブル及び／又はリソース伝送、及び／又は応答メッセージの種類情報及び／又は応答メッセージの時間セグメントに関する情報、及びフォースキャリアの数又はファーストキャリアの数を含む。
【０１５９】
応答メッセージの種類情報及び／又は応答メッセージの時間セグメントに関する情報は、応答メッセージの種類及び／又は、応答メッセージが送信される時間セグメントをUEに通知するために使用されるので、UEが、時間セグメントにおいて、基地局により送信された応答メッセージを受信し、及び／又はUEが、応答メッセージの種類に基づいて応答メッセージを解析することに留意すべきである。
【０１６０】
さらに、オプションで、新しいプリアンブルグループメッセージが基地局に事前設定される。プリアンブルグループは、ブロードキャストシグナリングを使用することによりUEにブロードキャストされ得る。したがって、基地局は、プリアンブルグループメッセージに基づいてプリアンブルグループから任意のプリアンブルを選択し、指示メッセージにプリアンブルを追加することができる。プリアンブルグループメッセージは、プリアンブルグループを含む。プリアンブルグループ内の各プリアンブルに黙示的に対応する応答メッセージフォーマットは、ＵＥに対して事前設定され得る。さらに、プリアンブルグループは、PUSCHを送信するために使用されないキャリアのために設計されたプリアンブルセットである。UEは、事前設定を使用することによりプリアンブルグループメッセージを知っているため、プリアンブルグループ内のプリアンブルを使用するようにUEに指示する場合、基地局は、応答メッセージの種類をUEに通知する必要がなく、UEは、予め設定されたプリアンブルグループ情報に基づいて、基地局により返信された応答メッセージの種類を取得してもよい。
【０１６１】
複数のUEがセカンドキャリア上の同じサブフレームでSRS切り替え伝送を実行する必要がある場合、基地局は、プリアンブルグループ内の異なるプリアンブルを選択し、TAを取得するようにRACHを設定するか、またはTAを取得するようにRACHを設定するように、複数の異なるRACH時間ドメイン及び／又は周波数ドメインリソースを設定する。前述のRACHプロセスは、非競合ベースのRACHに基づいている。ランダムアクセス応答メッセージは、アップリンクグラントおよびセル無線ネットワーク一時識別子(C-RNTI)(cell radio network temporary identifier)を含まない。
【０１６２】
オプションで、指示メッセージ内のプリアンブルはショートプリアンブルであってもよい。例えば、プリアンブルは、従来技術においてフォーマット4で規定されるプリアンブルである。
【０１６３】
S202：基地局が、指示メッセージをUEに送信する。
【０１６４】
S203：UEが、基地局により送信された指示メッセージを受信する。
【０１６５】
S204：UEは、プリアンブルをセカンドキャリア上で、基地局に送信する。
【０１６６】
可能な実装では、UEは、セカンドキャリアのサブフレーム識別子に対応するサブフレームにおけるプリアンブルを送信する。UEにより受信される指示メッセージは、サブフレーム識別子を含む。
【０１６７】
別の可能な実装では、UEは、プリアンブルをOFDMシンボル位置識別子に対応するOFDMシンボル位置に追加し、セカンドキャリアに対応するOFDMシンボル位置におけるプリアンブルを送信する。UEにより受信された指示メッセージは、OFDMシンボル位置識別子を含む。
【０１６８】
さらに別の可能な実施形態では、UEは、セカンドキャリアの物理リソースブロック識別子に対応する物理リソースブロック上で、プリアンブルを送信する。UEにより受信された指示メッセージは、物理リソースブロック識別子を含む。
【０１６９】
UEは、基地局により送信された指示メッセージに基づいてプリアンブルを送信することに留意すべきである。具体的には、UEは、非競合様式でランダムアクセスを実行する。
【０１７０】
さらに、指示メッセージを受信する場合、UEはすぐにプリアンブルを送信せず、指示メッセージにおいて指定されたプリアンブル送信時間に基づいてプリアンブルを送信してもよいことに留意すべきである。あるいは、基地局は、プリアンブルを送信するようにUEをトリガするためにダウンリンク制御チャネル(Physical Downlink Control Channel, 略してPDCCH)コマンドをUEに送信してもよい。
【０１７１】
ステップ205：基地局は、UEによりセカンドキャリア上で送信されたプリアンブルを受信する。
【０１７２】
ステップ206：基地局は、プリアンブルに関する情報を受信することに基づいてTAを決定する。
【０１７３】
具体的には、基地局は、プリアンブル受信時間及び受信したプリアンブルに基づいてTA値を決定する。
【０１７４】
ステップ207：基地局は、UEの応答メッセージを送信する。応答情報は、セカンドキャリアのTA及び／又はランダムアクセス電力オフセットを含む。
【０１７５】
可能な実装では、応答メッセージは、ランダムアクセス応答の有効なペイロードを修正することにより形成される新たなランダムアクセス応答メッセージである。
【０１７６】
TAが既存のランダムアクセス応答メッセージの有効なペイロードにおいてのみ搬送される場合、ランダムアクセス応答メッセージは、新たなランダムアクセス応答メッセージであることに留意すべきである。
【０１７７】
別の可能な実装では、応答メッセージは、新たに説明されたタイミングアドバンス・メディアアクセス制御・制御要素(Timing advance Media Access Control Control Element, 略してTA MAC CE)である。
【０１７８】
具体的には、TA MAC CEのリザーブビットは、TAを搬送するために使用され得る。
【０１７９】
さらに別の可能な実施形態では、応答メッセージは、ランダムアクセス応答のフレームフォーマットを修正することにより形成される新たなランダムアクセス応答メッセージである。
【０１８０】
具体的には、ランダムアクセス応答のフラグフィールドのサブヘッダのビットは、タイミング・アドバンス・制御要素(Timing Advance Control Element, 略してTA CE)を搬送するために使用され得、TA CEは、TAを搬送する。
【０１８１】
さらに別の可能な実装では、応答メッセージは、ランダムアクセス応答メッセージである。
【０１８２】
ランダムアクセス応答メッセージは、既存のランダムアクセス応答メッセージであることに留意すべきである。
【０１８３】
さらに別の可能な実装では、応答メッセージは、メディアアクセス制御・制御要素(Media Access Control Control Element, 略してMAC CE )である。
【０１８４】
MAC CEは、既存のMAC CEであり、MAC CEが、TAを搬送することに留意すべきである。
【０１８５】
さらに、UEが経路損失推定及びランダムアクセス電力オフセットに基づいてプリアンブルを送信する場合、プリアンブルを受信した後、基地局は、実際にプリアンブルが受信された信号強度値及びターゲット電力値に基づいてUEのランダムアクセス電力オフセットを決定し、応答情報を使用して、ランダムアクセス電力オフセットをUEに送信することに留意すべきである。
【０１８６】
さらに、応答メッセージのオーバヘッドを減らすために、応答メッセージは、セカンドキャリアのTAとファーストキャリアのTAとの差を含む。
【０１８７】
対応して、UEは、セカンドキャリアのTAとファーストキャリアのTAとの差、及びファーストキャリアのTAに基づいて、セカンドキャリアのTAを決定し得る。
【０１８８】
図4は、本発明の実施形態によるＴＡ取得方法の実施形態3のシグナリングフローチャートである。図4に示されているように、図2において示されている実施形態に基づいて、本発明のこの実施形態で提供されるTA取得方法は、以下のステップを含む。
【０１８９】
S301：基地局が、指示メッセージを生成する。
【０１９０】
本発明のこの実施形態では、指示情報は、同期信号を含み、セカンドキャリアとサードキャリアは、同じ基地局により管理される。
【０１９１】
セカンドキャリア及びサードキャリアは異なるTAGに属しており、すなわち、セカンドキャリアのTAは、サードキャリアのTAとは異なり、サードキャリアのTAは既知であることに留意すべきである。サードキャリアは、PUSCHを送信するために使用されるキャリアである。具体的には、サードキャリアのTAを取得するために、ランダムアクセスが、従来技術に基づいてサードキャリア上で実行され得る。
【０１９２】
オプションで、サードキャリアとファーストキャリアは同じキャリアである。具体的には、サードキャリアは、切り替え元のキャリアであり、セカンドキャリアは、切り替え先のキャリアである。
【０１９３】
S302：基地局が、指示メッセージをUEに送信する。
【０１９４】
本発明のこの実施形態では、基地局は、セカンドキャリア及びサードキャリアを使用して、指示メッセージをUEに送信する。
【０１９５】
S303：UEが、基地局により送信された指示メッセージを受信する。
【０１９６】
S304：UEは、サードキャリアを用いて送信される同期信号の第１の受信時間を決定し、セカンドキャリアを用いて送信される同期信号の第２の受信時間を決定する。
【０１９７】
S305：UEは、第２の受信時間と第１の受信時間との差と、サードキャリアのTAとに基づいて、セカンドキャリアのTAを決定する。
【０１９８】
本発明のこの実施形態では、例えば、第2の受信時間と第1の受信時間との差はｔ1であり、またサードキャリアのTAは、ｔ2である。この場合では、セカンドキャリアのTAは、ｔ1＋ｔ2である。
【０１９９】
さらに、セカンドキャリアのTAは、ダウンリンクTAである。しかし、チャネルの相互関係を考慮すると、すなわち、アップリンクチャネルの特徴は、基本的にダウンリンクチャネルの特徴と同じであり、アップリンクTAと、セカンドキャリアのダウンリンクTAの値は同じであり、区別されることができない。したがって、セカンドキャリアのダウンリンクTAは、アップリンク信号がセカンドキャリア上で送信されることに基づくアップリンクTAとして使用されることができ、アップリンク信号は、SRSであり得る。
【０２００】
図5は、本発明の実施形態によるＴＡ取得方法の実施形態4のシグナリングフローチャートである。図5に示されているように、図2において示されている実施形態に基づいて、本発明のこの実施形態で提供されるTA取得方法は、以下のステップを含む。
【０２０１】
S401：基地局が、指示メッセージを生成する。
【０２０２】
本発明のこの実施形態では、指示情報は、基地局間の同期信号及び同期差を含み、セカンドキャリアとサードキャリアは、このなる基地局によりそれぞれ管理される。例えば、セカンドキャリアは第1基地局により管理され、サードキャリアは第2基地局により管理される。
【０２０３】
セカンドキャリアとサードキャリアは異なるTAGに属しており、すなわち、セカンドキャリアのTAは、サードキャリアのTAとは異なり、サードキャリアのTAは既知であることに留意すべきである。サードキャリアは、PUSCHを送信するために使用されるキャリアである。具体的には、サードキャリアのTAを取得するために、ランダムアクセスが、従来技術に戻づいてサードキャリア上で実行され得る。
【０２０４】
S402：基地局が、指示メッセージをUEに送信する。
【０２０５】
具体的には、第1基地局は、セカンドキャリアを使用して、指示メッセージをUEに送信し、第2基地局は、サードキャリアを使用して、指示メッセージをUEに送信する。
【０２０６】
第1基地局と第2基地局は、同じ時間にそれぞれ指示メッセージを送信することに留意すべきである。しかしながら、第1基地局と第2基地局のタイミングシステムは異なっており、第1基地局と第2基地局との間には同期差が存在する。
【０２０７】
S403：UEが、基地局により送信された指示メッセージを受信する。
【０２０８】
S404：UEは、サードキャリアを用いて送信される同期信号の第１の受信時間を決定し、セカンドキャリアを用いて送信される同期信号の第２の受信時間を決定する。
【０２０９】
S405：UEは、第２の受信時間と第１の受信時間との差と、基地局間の同期差と、サードキャリアのTAとに基づいて、セカンドキャリアのTAを決定する。
【０２１０】
本発明のこの実施形態では、例えば、第2の受信時間と第1の受信時間との差はｔ1であり、サードキャリアのTAはｔ2であり、第1基地局と第2基地局との間の同期差はｔ3である。この場合では、セカンドキャリアのTAは、ｔ1＋ｔ2＋ｔ3である。
【０２１１】
さらに、セカンドキャリアのTAは、ダウンリンクTAである。しかし、チャネルの相互関係を考慮すると、すなわち、アップリンクチャネルの特徴は、基本的にダウンリンクチャネルの特徴と同じであり、アップリンクTAと、セカンドキャリアのダウンリンクTAの値は同じであり、区別されることができない。したがって、セカンドキャリアのダウンリンクTAは、アップリンク信号がセカンドキャリア上で送信されることに基づくアップリンクTAとして使用されることができ、アップリンク信号は、SRSであり得る。
【０２１２】
図6は、本発明の実施形態によるＴＡ取得方法の実施形態5の方法フローチャートである。図6に示されているように、本発明のこの実施形態で提供されるTA取得方法は、以下のステップを含む。
【０２１３】
S501：セカンドキャリアとサードキャリアが同じタイミング・アドバンス・グループ（TAG）に属しているかどうかを決定する。セカンドキャリアは、PUSCHの送信に使用されないキャリアである。
【０２１４】
可能な実装では、ファーストキャリアからセカンドキャリアに切り替える必要がある場合、基地局が、指示メッセージを生成する。
【０２１５】
別の可能な実装では、基地局がアップリンクデータを送信する必要がある場合、例えば、セカンドキャリアを使用してSRSを送信する場合、基地局は、指示メッセージを生成する。
【０２１６】
S502：肯定の場合は、セカンドキャリアのTAは、サードキャリアのTAと同じであると決定する。
【０２１７】
本発明のこの実施形態で提供されるTA取得方法は、セカンドキャリアとサードキャリアが同じタイミングアドバンスグループ(TAG)に属しているかどうかを判定するステップであって、セカンドキャリアは、PUSCHの送信に使用されないキャリアである、ステップと、肯定の場合は、セカンドキャリアのTAは、サードキャリアのTAと同じであると決定するステップとを含む。このようにして、セカンドキャリアは、PUSCHの送信に使用されないキャリアであるが、セカンドキャリアのTAは依然として取得できる。
【０２１８】
オプションで、サードキャリアとファーストキャリアは同じキャリアである。具体的には、サードキャリアは、切り替え元のキャリアである。
【０２１９】
オプションで、サードキャリアとファーストキャリアは異なり、サードキャリアは、アップリンクキャリアである。具体的には、サードキャリアに対し、サードキャリアのTAは、既存の物理レイヤランダムアクセス技術を使用して取得され得る。
【０２２０】
セカンドキャリアのTAが決定された後、アップリンク信号は、セカンドキャリアのTAに基づいてセカンドキャリア上で送信されることに留意すべきである。例えば、アップリンク信号は、SRSである。
【０２２１】
図7は、本発明の実施形態によるＴＡ取得装置の実施形態1の概略構成図である。図7に示されているように、装置100は、受信器12及びプロセッサ11を含む。
【０２２２】
受信器12は、基地局により送信された指示メッセージを受信するように構成されている。
【０２２３】
プロセッサ11は、指示メッセージに基づいてセカンドキャリアのタイミング・アドバンス（TA）を取得するように構成されており、セカンドキャリアは、PUSCHの送信に使用されないキャリアである。
【０２２４】
さらに、依然として図7を参照し、装置100は、
ファーストキャリアからセカンドキャリアに切り替えるように構成されている切り替え器13
をさらに含む。
【０２２５】
オプションで、指示メッセージは、セカンドキャリア上で送信される必要があるプリアンブル及び／又はリソース伝送識別子を含む。
【０２２６】
オプションで、リソース伝送識別子は、以下の、サブフレーム識別子、直交周波数分割多重(OFDM)シンボル位置識別子、キャリア識別子、及び物理リソースブロック識別子の少なくとも1つを含む。
【０２２７】
オプションで、プロセッサ11は、具体的には、セカンドキャリア上で、プリアンブルを基地局に送信するように構成されている。
【０２２８】
可能な実装では、プロセッサ11は、具体的には、基地局により送信された応答メッセージを受信するように構成されており、応答情報は、セカンドキャリアのTA及び／又はランダムアクセス電力オフセットを含む。
【０２２９】
さらに、TAは、プリアンブルに関する情報を受信することに基づいて基地局により決定される。
【０２３０】
オプションで、指示メッセージは、基地局間の同期信号及び／又は同期差を含む。
【０２３１】
可能な実装では、プロセッサ11は、具体的には、サードキャリアを使用して送信された同期信号の第1の受信時間を決定し、セカンドキャリアを使用して送信された同期信号の第2の受信時間を決定するように構成されている。
【０２３２】
別の可能な実装では、プロセッサ11は、具体的には、第2の受信時間と第1の受信時間との差、及びサードキャリアのTAに基づいてセカンドキャリアのTAを決定するように構成されている。
【０２３３】
さらに、セカンドキャリアのTAは、ダウンリンクTAである。
【０２３４】
オプションで、ダウンリンクTAは、どのアップリンク信号がセカンドキャリア上で送信されるかに基づいて、アップリンクTAとして使用される。
【０２３５】
さらに、指示メッセージは、基地局間の同期信号及び／又は同期差を含む。
【０２３６】
オプションで、プロセッサ11は、具体的には、サードキャリアを使用して送信された同期信号の第1の受信時間を決定し、セカンドキャリアを使用して送信された同期信号の第2の受信時間を決定するように構成されている。
【０２３７】
可能な実装では、プロセッサ11は、具体的には、第2の受信時間と第1の受信時間との差、基地局間の同期差、及びサードキャリアのTAに基づいてセカンドキャリアのTAを決定するように構成されている。
【０２３８】
オプションで、サードキャリアとファーストキャリアは同じキャリアである。
【０２３９】
オプションで、ファーストキャリアとセカンドキャリアは、異なるタイミング・アドバンス・グループ(TAG)にある。
【０２４０】
オプションで、応答メッセージは、ランダムアクセス応答の有効なペイロードを修正することにより形成される新たなランダムアクセス応答メッセージ、又はタイミング・アドバンス・メディアアクセス制御・制御要素(新たに説明されたTA MAC CE)、又はTA MAC CE、又はランダムアクセス応答のフレームフォーマットを修正することにより形成される新たなランダムアクセス応答メッセージ、又は既存のメディアアクセス制御・制御要素(MAC CE)、又はランダムアクセス応答である。
【０２４１】
可能な実装では、受信器12は、具体的には、セカンドキャリアを使用して送信された指示メッセージを受信するように構成されている。
【０２４２】
別の可能な実装では、プロセッサ11は、具体的には、セカンドキャリアを使用して基地局により送信された応答メッセージを受信するように構成されている。
【０２４３】
オプションで、指示メッセージは、フォースキャリアの数又は、ファーストキャリアの数を含む。
【０２４４】
可能な実装では、プロセッサ11は、具体的には、基地局により送信された応答メッセージをフォースキャリア又は、ファーストキャリア上で受信するように構成されている。
【０２４５】
オプションで、指示情報は、無線リソース制御(RRC)シグナリング又は物理レイヤシグナリングである。
【０２４６】
可能な実装では、プロセッサ11は、具体的には、基地局により送信された物理ダウンリンク制御チャネル(PDCCH)コマンドを受信するように構成されている。
【０２４７】
別の可能な実装では、プロセッサ11は、具体的には、基地局により送信された応答メッセージを受信するように構成されており、応答情報は、セカンドキャリアのTAとファーストキャリアのTAとの差を含む。
【０２４８】
さらに別の可能な実施形態では、プロセッサは、具体的には、セカンドキャリアのTAとファーストキャリアのTAとの差、及びファーストキャリアのTAに基づいてセカンドキャリアのTAを決定するように構成されている。
【０２４９】
オプションで、指示メッセージは、応答メッセージの種類情報及び／又は、応答メッセージの時間セグメントに関する情報をさらに含む。
【０２５０】
オプションで、プロセッサ11は、具体的には、基地局により送信された応答メッセージを時間セグメントにおいて受信するように構成されている。
【０２５１】
オプションで、プロセッサ11は、具体的には、応答メッセージの種類情報に基づいて応答メッセージを解析するように構成されている。
【０２５２】
図8は、本発明の実施形態によるＴＡ取得装置の実施形態2の概略構成図である。図8に示されているように、装置200は、プロセッサ21を含む。
【０２５３】
プロセッサ21は、セカンドキャリアとサードキャリアが同じタイミング・アドバンス・グループ（TAG）に属しているかどうかを決定するように構成されており、セカンドキャリアは、PUSCHの送信に使用されないキャリアである。
【０２５４】
肯定の場合は、プロセッサは、セカンドキャリアのTAは、サードキャリアのTAと同じであると決定するようにさらに構成されている。
【０２５５】
さらに、依然として図8を参照し、装置200は、セカンドキャリアのTAに基づいてセカンドキャリア上でアップリンク信号を送信するように構成されている送信器22をさらに含む。
【０２５６】
オプションで、アップリンク信号は、サウンディング参照信号(SRS)である。
【０２５７】
可能な実装では、装置200は、
ファーストキャリアからセカンドキャリアに切り替えるように構成されている切り替え器23
をさらに含む。
【０２５８】
オプションで、サードキャリアとファーストキャリアは同じキャリアである。
【０２５９】
オプションで、サードキャリアは、ファーストキャリアとは異なっており、サードキャリアは、アップリンクキャリアである。
【０２６０】
図9は、本発明の実施形態によるＴＡ取得装置の実施形態2の概略構成図である。図9に示されているように、装置300は、プロセッサ31及び送信器32を含む。
【０２６１】
プロセッサ31は、指示メッセージを生成するように構成されており、指示メッセージは、ユーザ機器(UE)にタイミング・アドバンス（TA）を取得するように指示するために使用される。
【０２６２】
送信器32は、指示メッセージをUEに送信するように構成されている。
【０２６３】
オプションで、指示メッセージは、セカンドキャリア上で送信される必要があるプリアンブル及びリソース伝送識別子を含む。
【０２６４】
オプションで、リソース伝送識別子は、以下の、サブフレーム識別子、直交周波数分割多重(OFDM)シンボル位置識別子、キャリア識別子、及び物理リソースブロック識別子の少なくとも1つを含む。
【０２６５】
可能な実装では、装置300は、
セカンドキャリア上で、UEにより送信されたプリアンブルを受信するように構成された受信器33
をさらに含む。
【０２６６】
送信器32は、応答メッセージをUEに送信するように構成され、応答情報は、セカンドキャリアのTA及び／又はランダムアクセス電力オフセットを含む。
【０２６７】
オプションで、プロセッサ31は、プリアンブルに関する情報を受信することに基づいてTAを決定するようにさらに構成される。
【０２６８】
オプションで、指示メッセージは、基地局間の同期信号及び／又は同期差を含む。
【０２６９】
オプションで、プロセッサ31は、
サードキャリア及びセカンドキャリアを使用してUEに別々に同期信号を送信し、UEは、同期信号がサードキャリア上で受信される第1の受信時間と同期信号がセカンドキャリア上で受信される第2の受信時間との差、及びサードキャリアのTAに基づいて、セカンドキャリアのTAを決定する
ようにさらに構成されている。
【０２７０】
オプションで、プロセッサ31は、
サードキャリア及びセカンドキャリアを使用してUEに別々に同期信号を送信し、UEは、同期信号がサードキャリア上で受信される第1の受信時間と同期信号がセカンドキャリア上で受信される第2の受信時間との差、基地局間の同期差、及びサードキャリアのTAに基づいて、セカンドキャリアのTAを決定する
ようにさらに構成されている。
【０２７１】
オプションで、応答メッセージは、ランダムアクセス応答の有効なペイロードを修正することにより形成される新たなランダムアクセス応答メッセージ、又はタイミング・アドバンス・メディアアクセス制御・制御要素(新たに説明されたTA MAC CE)、又はTA MAC CE、又はランダムアクセス応答のフレームフォーマットを修正することにより形成される新たなランダムアクセス応答メッセージ、又は既存のメディアアクセス制御・制御要素(MAC CE)、又はランダムアクセス応答である。
【０２７２】
オプションで、送信器32は、
セカンドキャリアを使用して指示メッセージをUEに送信する
ようにさらに構成されている。
【０２７３】
オプションで、送信器は、
セカンドキャリアを使用して応答メッセージをUEに送信する
ようにさらに構成されている。
【０２７４】
オプションで、指示メッセージは、フォースキャリアの数又はファーストキャリアの数をさらに含む。
【０２７５】
オプションで、送信器は、
フォースキャリア又は、ファーストキャリアを使用して応答メッセージをUEに送信する
ようにさらに構成されている。
【０２７６】
オプションで、指示情報は、無線リソース制御(RRC)シグナリング又は物理レイヤシグナリングである。
【０２７７】
オプションで、送信器32は、
物理ダウンリンク制御チャネル(PDCCH)をUEに送信する
ようにさらに構成されている。
【０２７８】
オプションで、送信器32は、
応答メッセージをUEに送信し、UEは、セカンドキャリアのTAとファーストキャリアのTAとの差、及びファーストキャリアのTAに基づいて、セカンドキャリアのTAを決定し、応答情報は、セカンドキャリアのTAとファーストキャリアのTAとの差を含む
ようにさらに構成されている。
【０２７９】
オプションで、指示メッセージは、応答メッセージの種類情報及び／又は、応答メッセージの時間セグメントに関する情報をさらに含む。
【０２８０】
オプションで、送信器32は、
UEが時間セグメントにおいて応答メッセージを受信できるように、応答メッセージをUEに送信する
ようにさらに構成されている。
【０２８１】
オプションで、送信器32は、
UEが応答メッセージの種類情報に基づいて応答メッセージを解析できるように、応答メッセージをUEに送信する
ようにさらに構成されている。
【０２８２】
前述の実施形態の装置に対し、各モジュールにより実行される動作の具体的な様式は、方法に関連する実施形態において詳細に説明され、詳細はここでは説明されない。
【０２８３】
当業者は本発明の実施形態について、互いに参照し、明確に理解することができる。簡潔な説明を容易にするために、上記のデバイスおよびデバイス内のモジュールまたはユニットの具体的な作業プロセス、ならびに上記のデバイスを含む通信システムの作業プロセスについては、方法の実施形態における対応するプロセスの説明を参照されたい。
【０２８４】
上記の実施形態の説明に基づいて、当業者は、本発明は、必要な汎用ハードウェアプラットフォームに加えてソフトウェアによって、またはハードウェアのみによって実施され得ることを明確に理解し得る。ほとんどの場合、前者が好適な実装である。そのような理解に基づいて、本質的に本発明の技術的解決策、または従来技術に寄与する部分は、ソフトウェア製品の形で実施され得る。ソフトウェア製品は記憶媒体に格納され、本発明の実施形態において説明された方法のステップの全部または一部を実行するようにコンピュータデバイス（パーソナルコンピュータ、サーバ、またはネットワークデバイスであり得る）に指示するためのいくつかの命令を含む。前述の記憶媒体は、USBフラッシュドライブ、リムーバブルハードディスク、読み出し専用メモリ（ROM）、ランダムアクセスメモリ（RAM）、磁気ディスク、または光ディスクなどのプログラムコードを記憶することができる任意の媒体を含む。
【０２８５】
本出願において提供されるいくつかの実施形態において、開示されたシステム、デバイス、および方法は他の様式で実施されてもよいことが理解されるべきである。例えば、上記の基地局の実施形態は単なる例である。例えば、モジュールまたはユニットの分割は単なる論理的機能分割であり、実際の実施においては他の分割様式であってよい。例えば、複数のユニットまたは構成要素は、組み合わせたり、他のシステムに統合したりしてもよく、あるいはいくつかの特徴は、無視し又は実行しなくてもよい。別々の部分として説明されたユニットは物理的に分離されてもされなくてもよく、ユニットとして表示された部分は物理的ユニットであっても、そうでなくてもよく、一箇所に配置されても、又は複数のネットワークユニットに分散されてもよい。実施形態の解決策の目的を達成するために、いくつかまたはすべてのモジュールは実際の必要性に従って選択することができる。当業者であれば、創造的な努力なしに本発明の実施形態を理解し実施することができる。
【０２８６】
さらに、説明されたシステム、デバイス、および方法、ならびに異なる実施形態の概略図は、本出願の範囲から逸脱することなく、他のシステム、モジュール、技術、または方法と組み合わせ、または統合することができる。加えて、表示されたまたは論じられた相互結合または直接結合または通信接続は、いくつかのインターフェースを通じて実施され得る。基地局またはユニット間の間接的な結合または通信接続は、電子的、機械的、または他の形状で実施することができる。
【０２８７】
最後に、前述の実施形態は単に本発明の技術的解決策を説明することを意図しており、本発明を限定することを意図していないことに留意すべきである。本発明を上記の実施形態を参照して詳細に説明したが、当業者であれば、本発明の実施形態の技術的解決策の範囲から逸脱することなく、上記の実施形態で説明した技術的解決策を修正し、あるいはその技術的特徴の一部または全部を均等に置き換えることができることを理解し得る。
【符号の説明】
【０２８８】
１１  プロセッサ
１２  受信器
１３  切り替え器
２１  プロセッサ
２２  送信器
２３  切り替え器
３１  プロセッサ
３２  送信器
３３  受信器
【図１】
2019522397.tif 000003
【図２】
2019522397.tif 000004
【図３】
2019522397.tif 000005
【図４】
2019522397.tif 000006
【図５】
2019522397.tif 000007
【図６】
2019522397.tif 000008
【図７】
2019522397.tif 000009
【図８】
2019522397.tif 000010
【図９】
2019522397.tif 000011
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
タイミング・アドバンス(TA)取得方法であって、
基地局により送信された指示メッセージを受信するステップと、
前記指示メッセージに基づいてセカンドキャリアのTAを取得するステップであって、前記セカンドキャリアは、PUSCHの送信に使用されないキャリアである、ステップと、
を具備することを特徴とするTA取得方法。
【請求項２】
前記指示メッセージは、前記セカンドキャリア上で送信される必要があるプリアンブル及び／又はリソース伝送識別子を具備し、
前記リソース伝送識別子は、サブフレーム識別子、直交周波数分割多重(OFDM)シンボル位置識別子、キャリア識別子、及び物理リソースブロック識別子、の少なくともいずれか1つを具備することを特徴とする請求項1に記載の方法。
【請求項３】
前記指示メッセージは、基地局間の同期信号及び／又は同期差を具備し、
前記指示メッセージに基づいてセカンドキャリアのTAを取得する前記ステップは、
サードキャリアを使用して送信された前記同期信号の第1の受信時間を決定するステップと、前記セカンドキャリアを使用して送信された前記同期信号の第2の受信時間を決定するステップ、
を具備することを特徴とする請求項1に記載の方法。
【請求項４】
前記方法は、ファーストキャリアからセカンドキャリアに切り替えるステップをさらに具備し、
前記指示メッセージは、基地局間の同期信号及び／又は同期差を具備し、
前記指示メッセージに基づいてセカンドキャリアのTAを取得する前記ステップは、
サードキャリアを使用して送信された前記同期信号の第1の受信時間を決定するステップと、前記セカンドキャリアを使用して送信された前記同期信号の第2の受信時間を決定するステップ、
を具備することを特徴とする請求項1に記載の方法。
【請求項５】
前記指示メッセージに基づいてセカンドキャリアのTAを取得する前記ステップは、
前記第2の受信時間と前記第1の受信時間との差、前記基地局間の前記同期差、及び前記サードキャリアのTAに基づいて前記セカンドキャリアの前記TAを決定するステップ
を具備することを特徴とする請求項4に記載の方法。
【請求項６】
タイミング・アドバンス(TA)取得方法であって、
セカンドキャリアとサードキャリアが同じタイミング・アドバンス・グループ(TAG)に属するかどうかを判定するステップであって、前記セカンドキャリアは、PUSCHの送信に使用されないキャリアである、ステップと、
肯定の場合は、前記セカンドキャリアのTAは、前記サードキャリアのTAと同じであると決定するステップと、
を具備することを特徴とするTA取得方法。
【請求項７】
TA取得方法であって、
指示メッセージを生成するステップであって、前記指示メッセージは、ユーザ機器(UE)にタイミング・アドバンス（TA）を取得するように指示するために使用される、ステップと、
前記指示メッセージを前記UEに送信するステップと、
を具備することを特徴とするTA取得方法。
【請求項８】
基地局により送信された指示メッセージを受信するように構成された受信器と、
前記指示メッセージに基づいてセカンドキャリアのタイミング・アドバンス（TA）を取得するように構成されたプロセッサであって、前記セカンドキャリアは、PUSCHの送信に使用されないキャリアである、プロセッサと、
を具備することを特徴とするTA取得装置。
【請求項９】
前記指示メッセージは、前記セカンドキャリア上で送信される必要があるプリアンブル及び／又はリソース伝送識別子を具備し、
前記リソース伝送識別子は、以下の、サブフレーム識別子、直交周波数分割多重(OFDM)シンボル位置識別子、キャリア識別子、及び物理リソースブロック識別子の少なくとも1つを具備することを特徴とする請求項8に記載の装置。
【請求項１０】
前記指示メッセージは、基地局間の同期信号及び／又は同期差を具備し、
前記プロセッサは、具体的には、サードキャリアを使用して送信された前記同期信号の第1の受信時間を決定し、前記セカンドキャリアを使用して送信された前記同期信号の第2の受信時間を決定するように構成されていることを特徴とする請求項8に記載の装置。
【請求項１１】
ファーストキャリアからセカンドキャリアに切り替えるように構成された切り替え器をさらに具備し、
前記指示メッセージは、基地局間の同期信号及び／又は同期差を具備し、
前記プロセッサは、具体的には、サードキャリアを使用して送信された前記同期信号の第1の受信時間を決定し、前記セカンドキャリアを使用して送信された前記同期信号の第2の受信時間を決定するように構成されていることを特徴とする請求項8に記載の装置。
【請求項１２】
前記プロセッサは、具体的には、前記第2の受信時間と前記第1の受信時間との差、前記基地局間の前記同期差、及び前記サードキャリアのTAに基づいて前記セカンドキャリアの前記TAを決定するように構成されていることを特徴とする請求項11に記載の装置。
【請求項１３】
前記プロセッサは、前記基地局により送信された応答メッセージを受信するように特に構成され、応答情報は、前記セカンドキャリアの前記TA及び／又はランダムアクセス電力オフセットを具備し、
前記応答メッセージは、ランダムアクセス応答の有効なペイロードを修正することにより形成される新たなランダムアクセス応答メッセージ、又は新たに説明されたタイミング・アドバンス・メディアアクセス制御・制御要素(TA MAC CE)、又はTA MAC CE、又はランダムアクセス応答のフレームフォーマットを修正することにより形成される新たなランダムアクセス応答メッセージ、又は既存のメディアアクセス制御・制御要素(MAC CE)、又はランダムアクセス応答であることを特徴とする請求項8に記載の装置。
【請求項１４】
タイミング・アドバンス(TA)取得装置であって、
セカンドキャリアとサードキャリアが同じタイミング・アドバンス・グループ（TAG）に属しているかどうかを決定するように構成されたプロセッサであって、前記セカンドキャリアは、PUSCHの送信に使用されないキャリアである、プロセッサを具備し、
肯定の場合は、前記プロセッサは、前記セカンドキャリアのTAは、前記サードキャリアのTAと同じであると決定するようにさらに構成されている
ことを特徴とするTA取得装置。
【請求項１５】
タイミング・アドバンス(TA)取得装置であって、
指示メッセージを生成するように構成されたプロセッサであって、前記指示メッセージは、ユーザ機器(UE)にタイミング・アドバンス（TA）を取得するように指示するために使用される、プロセッサと、
前記指示メッセージを前記UEに送信するように構成された送信器と、
を具備することを特徴とするTA取得装置。
【国際調査報告】
2019522397.tif 000012
2019522397.tif 000013
2019522397.tif 000014
2019522397.tif 000015